(57)【要約】【課題】  構成部品の組付性を向上可能な電気機器ユニットを提供する。【解決手段】  電気機器ユニット１０は、ケース１と、コネクタ３、ＤＣ／ＤＣコンバータ２、バスバー４、制御回路５および信号線６を備える。ＤＣ／ＤＣコンバータ２は、ボルト１６，１７，１９によって上下方向ＤＲ１からケース１の一主面１Ａに固定され、制御回路５は、ボルト８６，８７によって上下方向ＤＲ１からケース１の一主面１Ａに固定される。バスバー４とコネクタ３との接続は、上下方向ＤＲ１からボルトを穴４１１，４２１に挿入することにより行なわれ、バスバー４とＤＣ／ＤＣコンバータ２との接続は、上下方向ＤＲ１からボルトを穴４１２，４２２に挿入することにより行なわれる。また、信号線６とＤＣ／ＤＣコンバータ２との接続および信号線６と制御回路５との接続は、上下方向ＤＲ１からの溶接により行なわれる。【選択図】        図３
2005287236.tif 000002
【特許請求の範囲】
【請求項１】
一主面に略垂直な方向を向いた固定穴を有するケース部材と、
固定部および電力端子部を有する電気機器と、
電源からの電力を受ける入力端子と前記受けた電力を前記電気機器に供給するための出力端子とを有する端子部材と、
前記端子部材の出力端子と接続される第１の端部と前記電気機器の前記電力端子部と接続される第２の端部とを有する配線部材とを備え、
前記固定部は、前記一主面に略垂直な方向から前記固定穴にねじ込まれたネジによって前記ケース部材に固定され、
前記出力端子および前記第１の端部は、前記一主面に略垂直な平板形状または前記一主面に略平行な平板形状からなり、
前記第２の端部および前記電力端子部は、前記一主面に略垂直な平板形状または前記一主面に略平行な平板形状からなる、電気機器ユニット。
【請求項２】
前記電気機器を制御する制御回路と、
前記制御回路からの制御信号を前記電気機器に送信するための制御信号線とをさらに備え、
前記電気機器は、信号端子部をさらに有し、
前記制御信号線の前記信号端子部との接続部および前記信号端子部は、前記一主面に略垂直な平板形状または前記一主面に略平行な平板形状からなる、請求項１に記載の電気機器ユニット。
【請求項３】
前記電気機器は、ＤＣ／ＤＣコンバータである、請求項１または請求項２に記載の電気機器ユニット。
【請求項４】
一主面に略垂直な方向を向いた固定穴を有するケース部材と、
第１の固定部と、第１および第２の電力端子部とを有する第１の電気機器と、
第２の固定部および第３の電力端子部を有する第２の電気機器と、
電源からの電力を受ける入力端子と前記受けた電力を前記第１の電気機器に供給するための出力端子とを有する端子部材と、
前記端子部材の出力端子に接続される第１の端部と前記第１の電気機器の前記第１の電力端子部に接続される第２の端部とを有する第１の配線部材と、
前記第１の電気機器の前記第２の電力端子部に接続される第３の端部と前記第２の電気機器の前記第３の電力端子部に接続される第４の端部とを有する第２の配線部材とを備え、
前記第１および第２の固定部の各々は、前記一主面に略垂直な方向から前記固定穴にねじ込まれたネジによって前記ケース部材に固定され、
前記出力端子および前記第１の端部は、前記一主面に略垂直な平板形状または前記一主面に略平行な平板形状からなり、
前記第２の端部および前記第１の電力端子部は、前記一主面に略垂直な平板形状または前記一主面に略平行な平板形状からなり、
前記第２の電力端子部および前記第３の端部は、前記一主面に略垂直な平板形状または前記一主面に略平行な平板形状からなり、
前記第４の端部および前記第２の電力端子部は、前記一主面に略垂直な平板形状または前記一主面に略平行な平板形状からなる、電気機器ユニット。
【請求項５】
前記第２の電気機器を制御する制御回路と、
前記制御回路からの制御信号を前記第２の電気機器に送信するための制御信号線とをさらに備え、
前記第２の電気機器は、信号端子部をさらに有し、
前記制御信号線の前記信号端子部との接続部および前記信号端子部は、前記一主面に略垂直な平板形状または前記一主面に略平行な平板形状からなる、請求項４に記載の電気機器ユニット。
【請求項６】
前記第１の電気機器は、コンデンサであり、
前記第２の電気機器は、インバータである、請求項４または請求項５に記載の電気機器ユニット。
【請求項７】
前記コンデンサの前記第１および第２の電力端子部は、前記一主面に略平行な平板形状からなり、前記コンデンサの１つの側面から同じ方向に延伸している、請求項６に記載の電気機器ユニット。
【請求項８】
前記第１の電気機器は、リアクトルであり、
前記第２の電気機器は、チョッパ回路である、請求項４または請求項５に記載の電気機器ユニット。
【請求項９】
前記ケース部材は、略平板形状からなり、
前記電気機器ユニットは、前記ケース部材の前記一主面上に配置されたふた部材をさらに備え、
前記端子部材は、前記ケース部材と前記ふた部材とにより挟み込まれる、請求項１から請求項８のいずれか１項に記載の電気機器ユニット。
【請求項１０】
前記ケース部材は、前記一主面を有する底部と、前記底部の周囲を囲む側壁部とを有し、
前記端子部材は、前記側壁部に設けられた貫通孔に配置される、請求項１から請求項８のいずれか１項に記載の電気機器ユニット。
【発明の詳細な説明】
【技術分野】
【０００１】
この発明は、電気機器ユニットに関し、特に、一定の方向から組付け作業を行なうことができる電気機器ユニットに関するものである。
【背景技術】
【０００２】
特許文献１は、インバータ装置を開示する。このインバータ装置は、冷却板と、スイッチングモジュールＳＡ，ＳＢ，ＳＣと、平滑コンデンサＣＡ，ＣＢ，ＣＣと、入力導体板ＤＡ，ＤＢと、制御回路基板とを備える。
【０００３】
スイッチングモジュールＳＡ，ＳＢ，ＳＣは、冷却板上に配置される。入力導体板ＤＡ，ＤＢは、略Ｌ字形状の断面形状を有する。また、平滑コンデンサＣＡ，ＣＢ，ＣＣは、円筒形状からなる。そして、入力導体板ＤＡ，ＤＢの一方端は、スイッチングモジュールＳＡ，ＳＢ，ＳＣの各々の上面に設けられた２つの端子に接続され、他方端は、平滑コンデンサＣＡ，ＣＢ，ＣＣの一方の端面に接続される。
【０００４】
これにより、スイッチングモジュールＳＡ，ＳＢ，ＳＣおよび平滑コンデンサＣＡ，ＣＢ，ＣＣは、入力導体板ＤＡと入力導体板ＤＢとの間に並列に接続される。そして、平滑コンデンサＣＡ，ＣＢ，ＣＣは、スイッチングモジュールＳＡ，ＳＢ，ＳＣの上側に配置される。
【０００５】
制御回路基板は、入力導体板ＤＡ，ＤＢを挟んで平滑コンデンサＣＡ，ＣＢ，ＣＣの反対側に冷却板に垂直に配置される。
【０００６】
このように、インバータ装置は、３つのスイッチングモジュール、３つの平滑コンデンサ、２つの入力導体板および制御回路基板を冷却板上に立体的に配置した構造からなる。
【特許文献１】特開平９−３０８２６５号公報
【発明の開示】
【発明が解決しようとする課題】
【０００７】
しかし、特許文献１に開示されたインバータ装置では、スイッチングモジュール、平滑コンデンサ、入力導体板および制御回路基板等のインバータ装置の構成部品を一定方向から組付けることが困難であるという問題がある。
【０００８】
そこで、この発明は、かかる問題を解決するためになされたものであり、その目的は、構成部品の組付性を向上可能な電気機器ユニットを提供することである。
【課題を解決するための手段】
【０００９】
この発明によれば、電気機器ユニットは、ケース部材と、電気機器と、端子部材と、配線部材とを備える。ケース部材は、一主面に略垂直な方向を向いた固定穴を有する。電気機器は、固定部および電力端子部を有する。端子部材は、電源からの電力を受ける入力端子と、受けた電力を電気機器に供給するための出力端子とを有する。配線部材は、端子部材の出力端子と接続される第１の端部と電気機器の電力端子部と接続される第２の端部とを有する。そして、電気機器の固定部は、一主面に略垂直な方向から固定穴にねじ込まれたネジによってケース部材に固定される。また、出力端子および第１の端部は、一主面に略垂直な平板形状または一主面に略平行な平板形状からなる。さらに、第２の端部および電力端子部は、一主面に略垂直な平板形状または一主面に略平行な平板形状からなる。
【００１０】
好ましくは、電気機器ユニットは、制御回路と、制御信号線とをさらに備える。制御回路は、電気機器を制御する。制御信号線は、制御回路からの制御信号を電気機器に送信する。そして、電気機器は、信号端子部をさらに有し、制御信号線の信号端子部との接続部および信号端子部は、一主面に略垂直な平板形状または一主面に略平行な平板形状からなる。
【００１１】
好ましくは、電気機器は、ＤＣ／ＤＣコンバータである。
【００１２】
また、この発明によれば、電気機器ユニットは、ケース部材と、第１および第２の電気機器と、端子部材と、第１および第２の配線部材とを備える。ケース部材は、一主面に略垂直な方向を向いた固定穴を有する。第１の電気機器は、第１の固定部と、第１および第２の電力端子部とを有する。第２の電気機器は、第２の固定部および第３の電力端子部を有する。端子部材は、電源からの電力を受ける入力端子と、受けた電力を第１の電気機器に供給するための出力端子とを有する。第１の配線部材は、端子部材の出力端子に接続される第１の端部と第１の電気機器の第１の電力端子部に接続される第２の端部とを有する。第２の配線部材は、第１の電気機器の第２の電力端子部に接続される第３の端部と第２の電気機器の第３の電力端子部に接続される第４の端部とを有する。そして、第１および第２の固定部の各々は、一主面に略垂直な方向から固定穴にねじ込まれたネジによってケース部材に固定される。また、出力端子および第１の端部は、一主面に略垂直な平板形状または一主面に略平行な平板形状からなる。また、第２の端部および第１の電力端子部は、一主面に略垂直な平板形状または一主面に略平行な平板形状からなる。さらに、第２の電力端子部および第３の端部は、一主面に略垂直な平板形状または一主面に略平行な平板形状からなる。さらに、第４の端部および第２の電力端子部は、一主面に略垂直な平板形状または一主面に略平行な平板形状からなる。
【００１３】
好ましくは、電気機器ユニットは、制御回路と、制御信号線とをさらに備える。制御回路は、第２の電気機器を制御する。制御信号線は、制御回路からの制御信号を第２の電気機器に送信する。そして、第２の電気機器は、信号端子部をさらに有し、制御信号線の信号端子部との接続部および信号端子部は、一主面に略垂直な平板形状または一主面に略平行な平板形状からなる。
【００１４】
好ましくは、第１の電気機器は、コンデンサであり、第２の電気機器は、インバータである。
【００１５】
好ましくは、コンデンサの第１および第２の電力端子部は、一主面に略平行な平板形状からなり、コンデンサの１つの側面から同じ方向に延伸している。
【００１６】
好ましくは、第１の電気機器は、リアクトルであり、第２の電気機器は、チョッパ回路である。
【００１７】
好ましくは、ケース部材は、略平板形状からなる。そして、電気機器ユニットは、ケース部材の一主面上に配置されたふた部材をさらに備える。端子部材は、ケース部材とふた部材とにより挟み込まれる。
【００１８】
好ましくは、ケース部材は、一主面を有する底部と、底部の周囲を囲む側壁部とを有する。そして、端子部材は、側壁部に設けられた貫通孔に配置される。
【発明の効果】
【００１９】
この発明による電気機器ユニットにおいては、構成部品が一定方向からケース部材に固定される。
【００２０】
したがって、この発明によれば、構成部品の組付性を向上できる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態１］
図１は、この発明の実施の形態１による電気機器ユニットの断面図である。図１を参照して、この発明の実施の形態１による電気機器ユニット１０は、ケース１と、ＤＣ／ＤＣコンバータ２と、コネクタ３と、バスバー４と、ふた８と、シール部材９と、ブラケット１１，１２とを備える。
【００２３】
ケース１は、一主面１Ａに略垂直な方向を向いた穴１４，１５を有する。そして、ＤＣ／ＤＣコンバータ２は、電気機器ユニット１０の上下方向ＤＲ１からボルト１６，１７をそれぞれケース１の穴１４，１５にねじ込むことによってケース１の一主面１Ａに固定される。
【００２４】
コネクタ３は、ケース１の周辺部において一主面１Ａに配置され、シール部材９を介してふた８によってケース１の方向へ押されることによって固定される。つまり、コネクタ３は、ケース１およびふた８によって挟み込まれることによってケース１の一主面１Ａに固定される。
【００２５】
バスバー４は、一方端がＤＣ／ＤＣコンバータ２に接続され、他方端がコネクタ３に接続される。この場合、バスバー４は、ボルト１８を電気機器ユニット１０の上下方向ＤＲ１からバスバー４の他方端およびコネクタ３に貫通させることによってコネクタ３に接続される。ふた８は、ＤＣ／ＤＣコンバータ２、コネクタ３およびバスバー４を覆う。シール部材９は、ケース１とふた８との間、およびコネクタ３とふた８との間に配設される。ブラケット１１，１２は、一方端がケース１の一主面１Ａと反対側の一主面１Ｂに固定される。
【００２６】
なお、図１においては、図示されていないが、電気機器ユニット１０は、ＤＣ／ＤＣコンバータ２を制御する制御回路と、その制御回路からの制御信号をＤＣ／ＤＣコンバータ２へ送信する信号線と、２本のブラケットとをさらに備える。そして、制御回路は、ケース１の一主面１Ａ上に配設され、信号線は、制御回路をＤＣ／ＤＣコンバータ２に接続し、２本のブラケットは、その一方端がブラケット１１，１２と同じように一主面１Ｂに固定されている。
【００２７】
図２は、図１に示すＡ方向から見た電気機器ユニット１０の側面図である。図２を参照して、電気機器ユニット１０は、ブラケット１３をさらに備える。ブラケット１３は、一方端がケース１の一主面１Ｂに固定される。シール部材９は、ふた８をケース１の一主面１Ａに配置した場合にふた８がケース１と接触する接触部に取り付けられ、ふた８をケース１の一主面１Ａ上に配置することによってケース１の一主面１Ａおよびコネクタ３上に配置される。
【００２８】
そして、これによって、コネクタ３は、ケース１とふた８とによって挟み込まれ、ケース１の一主面１Ａ上に固定される。このように、ケース１とふた８とによって挟み込まれることによって固定されるコネクタ３を「非貫通型のコネクタ」という。
【００２９】
図３は、図１に示す電気機器ユニット１０の主要部の斜視図である。図３を参照して、電気機器ユニット１０は、制御回路５と、信号線６と、バスバー７とをさらに備える。制御回路５は、ケース１の一主面１Ａに配設される。信号線６は、一方端がＤＣ／ＤＣコンバータ２に接続され、他方端が制御回路５に接続される。バスバー７は、その一方端がＤＣ／ＤＣコンバータ２に接続される。
【００３０】
コネクタ３は、バッテリ（図示せず）から直流電圧を受け、その受けた直流電圧をバスバー４を介してＤＣ／ＤＣコンバータ２へ供給する。制御回路５は、制御信号を信号線６を介してＤＣ／ＤＣコンバータ２へ供給する。ＤＣ／ＤＣコンバータ２は、バスバー４を介して受けた直流電圧を、信号線６を介して受けた制御信号によって電圧レベルの異なる直流電圧に変換する。そして、ＤＣ／ＤＣコンバータ２は、変換した直流電圧をバスバー７を介して電気機器ユニット１０の外部へ出力する。このように、電気機器ユニット１０は、バッテリから供給される直流電圧を電圧変換する。
【００３１】
図４は、図３に示すコネクタ３の拡大図である。図４を参照して、コネクタ３は、本体部３１と、入力端子３２と、出力端子３３とを含む。入力端子３２は、一方端が本体部３１に挿入され、一方端と本体部３１との間がシーラ３４によってシールされる。そして、入力端子３２の空洞部３２Ａには、バッテリ（図示せず）からの配線の一方端が挿入される。これによって、コネクタ３は、バッテリに電気的に接続される。
【００３２】
出力端子３３は、端子３３Ａ，３３Ｂからなる。端子３３Ａ，３３Ｂは、入力端子３２の反対側から本体部３１に固定される。そして、端子３３Ａ，３３Ｂは、それぞれ、ボルトを挿入するための貫通孔３３１，３３２を備える。
【００３３】
図５は、図３に示すＤＣ／ＤＣコンバータ２の拡大図である。図５を参照して、ＤＣ／ＤＣコンバータ２は、本体部２１と、固定部２２〜２４と、電力端子部２５，２７と、信号端子部２６とを含む。
【００３４】
固定部２２，２３は、ケース１の一主面１Ａに接する本体部２１の一主面２１Ａの面内方向に沿って延伸するように端面２１Ｂに配設される。また、固定部２４は、本体部２１の一主面２１Ａの面内方向に沿って延伸するように端面２１Ｂに対向する端面２１Ｃに配設される。そして、固定部２２〜２４は、それぞれ、ボルトを通すための穴２２Ａ，２３Ａ，２４Ａを有する。穴２２Ａ，２３Ａ，２４Ａは、電気機器ユニット１０の上下方向ＤＲ１を向いている。
【００３５】
なお、図５には図示されていないが、もう１つの固定部が固定部２４と同じように端面２１Ｃに配設されている。
【００３６】
電力端子部２５，２７および信号端子部２６は、本体部２１の上面２１Ｄに配設される。電力端子部２５は、端子２５Ａ，２５Ｂからなる。そして、端子２５Ａ，２５Ｂは、本体部２１の上面２１Ｄに略平行な平板形状からなり、それぞれ、ボルトを通すための穴２５１，２５２を有する。この穴２５１，２５２は、電気機器ユニット１０の上下方向ＤＲ１を向いている。
【００３７】
電力端子部２５は、バスバー４の一方端が接続される端子である。したがって、ＤＣ／ＤＣコンバータ２は、コネクタ３およびバスバー４を介して供給された直流電圧を電力端子部２５から受ける。
【００３８】
信号端子部２６は、端子２６Ａ，２６Ｂ，２６Ｃ，２６Ｄからなる。端子２６Ａ，２６Ｂ，２６Ｃ，２６Ｄは、本体部２１の上面２１Ｄに略垂直な平板形状からなり、制御回路５からの制御信号を受けるための端子である。したがって、ＤＣ／ＤＣコンバータ２は、制御回路５からの制御信号を信号端子部２６から受ける。
【００３９】
電力端子部２７は、端子２７Ａ，２７Ｂからなる。端子２７Ａ，２７Ｂは、本体部２１の上面２１Ｄに略垂直な平板形状からなり、ＤＣ／ＤＣコンバータ２によって電圧変換された直流電圧を出力するための端子である。
【００４０】
図６は、図３に示す制御回路５の拡大図である。図６を参照して、制御回路５は、本体部５１と、固定部５２〜５４と、信号端子部５５とを含む。
【００４１】
固定部５２，５３は、ケース１の一主面１Ａに接する本体部５１の一主面５１Ａの面内方向に沿って延伸するように端面５１Ｂに配設される。また、固定部５４は、本体部５１の一主面５１Ａの面内方向に沿って延伸するように端面５１Ｂに対向する端面５１Ｃに配設される。そして、固定部５２〜５４は、それぞれ、ボルトを通すための穴５２Ａ，５３Ａ，５４Ａを有する。穴５２Ａ，５３Ａ，５４Ａは、電気機器ユニット１０の上下方向ＤＲ１を向いている。
【００４２】
なお、図６には図示されていないが、もう１つの固定部が固定部５４と同じように端面５１Ｃに配設されている。
【００４３】
信号端子部５５は、本体部５１の上面５１Ｄに配設され、上面５１Ｄに略垂直な平板形状からなる。
【００４４】
信号端子部５５は、端子５５Ａ，５５Ｂ，５５Ｃ，５５Ｄからなる。端子５５Ａ，５５Ｂ，５５Ｃ，５５Ｄは、ＤＣ／ＤＣコンバータ２へ制御信号を送信するための端子である。したがって、制御回路５は、制御信号を信号端子部５５からＤＣ／ＤＣコンバータ２へ送信する。
【００４５】
図７は、図３に示すバスバー４の拡大図である。図７を参照して、バスバー４は、ケーブル４１，４２と、モールド部４３とを含む。ケーブル４１，４２は、板状形状からなる。ケーブル４１は、本体部４１Ａと、垂直部４１Ｂ，４１Ｃと、水平部４１Ｄ，４１Ｅとを含む。
【００４６】
本体部４１Ａは、板状形状の幅方向が電気機器ユニット１０の上下方向ＤＲ１を向くように配置される。垂直部４１Ｂ，４１Ｃは、本体部４１Ａに略垂直であり、板状形状の幅方向がバスバー４の長さ方向ＤＲ２を向いている。水平部４１Ｄ，４１Ｅは、それぞれ、垂直部４１Ｂ，４１Ｃに略垂直であり、ケース１の一主面１Ａに略平行である。
【００４７】
垂直部４１Ｂ，４１Ｃは、本体部４１Ａの両端を上下方向ＤＲ１へ湾曲して形成され、水平部４１Ｄ，４１Ｅは、それぞれ、上下方向ＤＲ１へ湾曲された垂直部４１Ｂ，４１Ｃの端部をケース１の一主面１Ａの面内方向へ湾曲して形成される。
【００４８】
そして、水平部４１Ｄは、穴４１１を有し、水平部４１Ｅは、穴４１２を有する。
【００４９】
ケーブル４２は、本体部４２Ａと、垂直部４２Ｂ，４２Ｃと、水平部４２Ｄ，４２Ｅとを含む。
【００５０】
本体部４２Ａは、板状形状の幅方向が電気機器ユニット１０の上下方向ＤＲ１を向くように配置される。垂直部４２Ｂ，４２Ｃは、本体部４２Ａに略垂直であり、板状形状の幅方向がバスバー４の長さ方向ＤＲ２を向いている。水平部４２Ｄ，４２Ｅは、それぞれ、垂直部４２Ｂ，４２Ｃに略垂直であり、ケース１の一主面１Ａに略平行である。
【００５１】
垂直部４２Ｂ，４２Ｃは、本体部４２Ａの両端を上下方向ＤＲ１へ湾曲して形成され、水平部４２Ｄ，４２Ｅは、それぞれ、上下方向ＤＲ１へ湾曲された垂直部４２Ｂ，４２Ｃの端部をケース１の一主面１Ａの面内方向へ湾曲して形成される。
【００５２】
そして、水平部４２Ｄは、穴４２１を有し、水平部４２Ｅは、穴４２２を有する。
【００５３】
モールド部４３は、ケーブル４１，４２の本体部４１Ａ，４２Ａを所定の長さにわたって樹脂によってモールドする。そして、モールド部４３は、断面形状が略四角形からなる。この場合、モールド部４３の上面４３Ａは、電気機器ユニット１０の上下方向ＤＲ１に略垂直である。
【００５４】
図８は、図３に示すもう１つのバスバー７の拡大図である。図８を参照して、バスバー７は、ケーブル７１，７２と、モールド部７３とを含む。ケーブル７１，７２は、板状形状からなる。ケーブル７１は、本体部７１Ａと、端部７１Ｂとを含む。
【００５５】
本体部７１Ａおよび端部７１Ｂは、板状形状の幅方向が電気機器ユニット１０の上下方向ＤＲ１を向くように配置される。そして、端部７１Ｂは、本体部７１Ａに略垂直である。
【００５６】
ケーブル７２は、本体部７２Ａと、端部７２Ｂとを含む。
【００５７】
本体部７２Ａおよび端部７２Ｂは、それぞれ、ケーブル７１の本体部７１Ａおよび端部７１Ｂと同じように板状形状の幅方向が電気機器ユニット１０の上下方向ＤＲ１を向くように配置される。そして、端部７２Ｂは、本体部７２Ａに略垂直である。
【００５８】
モールド部７３は、ケーブル７１，７２の本体部７１Ａ，７２Ａを所定の長さにわたって樹脂によってモールドする。そして、モールド部７３は、断面形状が略四角形からなる。この場合、モールド部７３の上面７３Ａは、電気機器ユニット１０の上下方向ＤＲ１に略垂直である。
【００５９】
図９は、図３に示す信号線６の拡大図である。図９を参照して、信号線６は、ケーブル６１〜６４と、モールド部６５とを含む。ケーブル６１〜６４は、板状形状からなる。モールド部６５の上面６５Ａは、電気機器ユニット１０の上下方向ＤＲ１に垂直な方向に配置される。
【００６０】
ケーブル６１は、本体部６１Ａと、端部６１Ｂ，６１Ｃとからなる。本体部６１Ａおよび端部６１Ｂ，６１Ｃは、板状形状の幅方向が電気機器ユニット１０の上下方向ＤＲ１を向くように配置される。そして、端部６１Ｂ，６１Ｃは、本体部６１Ａに略垂直であり、本体部６１Ａの両端が同じ方向に湾曲された構造を有する。
【００６１】
ケーブル６２は、本体部６２Ａと、端部６２Ｂ，６２Ｃとからなる。そして、本体部６２Ａおよび端部６２Ｂ，６２Ｃは、それぞれ、ケーブル６１の本体部６１Ａおよび端部６１Ｂ，６１Ｃと同じである。また、ケーブル６３は、本体部６３Ａと、端部６３Ｂ，６３Ｃとからなる。そして、本体部６３Ａおよび端部６３Ｂ，６３Ｃは、それぞれ、ケーブル６１の本体部６１Ａおよび端部６１Ｂ，６１Ｃと同じである。さらに、ケーブル６４は、本体部６４Ａと、端部６４Ｂ，６４Ｃとからなる。そして、本体部６４Ａおよび端部６４Ｂ，６４Ｃは、それぞれ、ケーブル６１の本体部６１Ａおよび端部６１Ｂ，６１Ｃと同じである。
【００６２】
再び、図３を参照して、ＤＣ／ＤＣコンバータ２は、上述したように穴２２Ａ，２３Ａ，２４Ａをそれぞれ有する固定部２２〜２４を備えるので、ボルト１６，１７，１９をそれぞれ穴２２Ａ，２３Ａ，２４Ａに上下方向ＤＲ１から挿入し、ケース１に設けられた穴１４，１５等にボルト１６，１７，１９をねじ込むことによってケース１の一主面１Ａに固定される。
【００６３】
また、制御回路５は、上述したように穴５３Ａ，５４Ａをそれぞれ有する固定部５３，５４を備えるので、ボルト８６，８７をそれぞれ穴５３Ａ，５４Ａに上下方向ＤＲ１から挿入し、ケース１に設けられた穴にねじ込むことによってケース１の一主面１Ａに固定される。
【００６４】
バスバー４のケーブル４１は、水平部４１Ｄ，４１Ｅを有し、ケーブル４２は、水平部４２Ｄ，４２Ｅを有するので、バスバー４は、水平部４１Ｄ，４２Ｄをそれぞれコネクタ３の端子３３Ａ，３３Ｂに重ね、ボルト（図示せず）を上下方向ＤＲ１から穴４１１，４１２および貫通穴３３１，３３２に挿入することによってコネクタ３に接続され、水平部４１Ｅ，４２ＥをそれぞれＤＣ／ＤＣコンバータ２の端子２５Ａ，２５Ｂに重ね、ボルト（図示せず）を上下方向ＤＲ１から穴４１２，４２２および穴２５１，２５２に挿入することによってＤＣ／ＤＣコンバータ２に接続される。
【００６５】
また、バスバー４は、断面形状が略四角形からなるモールド部４３を有するので、ケース１の一主面１Ａに配置し易い。
【００６６】
このように、バスバー４は、水平部４１Ｄ，４２Ｄ，４１Ｅ，４２Ｅを両端部に有するので、その両端部は、ケース１の一主面１Ａに略平行な方向に配置されたコネクタ３の端子３３Ａ，３３ＢおよびＤＣ／ＤＣコンバータ２の端子２５Ａ，２５Ｂに容易に重ねられ、バスバー４を上下方向ＤＲ１からボルトによってコネクタ３およびＤＣ／ＤＣコンバータ２に接続する作業を容易に行なうことができる。
【００６７】
信号線６のケーブル６１は、幅方向が上下方向ＤＲ１に略平行な、すなわち、幅方向がケース１の一主面１Ａに略垂直な端部６１Ｂおよび６１Ｃを有し、ケーブル６２は、幅方向がケース１の一主面１Ａに略垂直な端部６２Ｂおよび６２Ｃを有し、ケーブル６３は、幅方向がケース１の一主面１Ａに略垂直な端部６３Ｂおよび６３Ｃを有し、ケーブル６４は、幅方向がケース１の一主面１Ａに略垂直な端部６４Ｂおよび６４Ｃを有するので、信号線６は、端部６１Ｃ，６２Ｃ，６３Ｃ，６４ＣがそれぞれＤＣ／ＤＣコンバータ２の信号端子部２６の端子２６Ａ，２６Ｂ，２６Ｃ，２６Ｄに溶接されることによってＤＣ／ＤＣコンバータ２に接続され、端部６１Ｂ，６２Ｂ，６３Ｂ，６４Ｂがそれぞれ制御回路５の信号端子部５５の端子５５Ａ，５５Ｂ，５５Ｃ，５５Ｄに溶接されることによって制御回路５に接続される。
【００６８】
図１０は、図３に示す信号端子部５５の上下方向ＤＲ１から見た平面図である。また、図１１は、図３に示す信号端子部２６の上下方向ＤＲ１から見た平面図である。図１０を参照して、信号端子部５５の端子５５Ａ，５５Ｂ，５５Ｃ，５５Ｄは、ケース１の一主面１Ａの面内方向ＤＲ３に略垂直な方向（紙面に略垂直な方向）に配置されており、信号線６の端部６１Ｂ，６２Ｂ，６３Ｂ，６４Ｂは、面内方向ＤＲ３に略垂直な方向に幅方向を有するので、信号端子部５５の端子５５Ａ，５５Ｂ，５５Ｃ，５５Ｄは、それぞれ、端部６１Ｂ，６２Ｂ，６３Ｂ，６４Ｂに容易に接触する。
【００６９】
そして、電気機器ユニット１０の上下方向ＤＲ１（紙面に垂直な方向）から端子５５Ａおよび端部６１Ｂを挟み込んで溶接する。また、端子５５Ｂおよび端部６２Ｂ、端子５５Ｃおよび端部６３Ｂ、および端子５５Ｄおよび端部６４Ｂについても同様に上下方向ＤＲ１から挟み込んで溶接する。
【００７０】
図１１を参照して、信号端子部２６の端子２６Ａ，２６Ｂ，２６Ｃ，２６Ｄは、ケース１の一主面１Ａの面内方向ＤＲ３に略垂直な方向（紙面に略垂直な方向）に配置されており、信号線６の端部６１Ｃ，６２Ｃ，６３Ｃ，６４Ｃは、面内方向ＤＲ３に略垂直な方向に幅方向を有するので、信号端子部２６の端子２６Ａ，２６Ｂ２６Ｃ，２６Ｄは、それぞれ、端部６１Ｃ，６２Ｃ，６３Ｃ，６４Ｃに容易に接触する。
【００７１】
そして、電気機器ユニット１０の上下方向ＤＲ１（紙面に垂直な方向）から端子２６Ａおよび端部６１Ｃを挟み込んで溶接する。端子２６Ｂおよび端部６２Ｃ、端子２６Ｃおよび端部６３Ｃ、および端子２６Ｄおよび端部６４Ｃについても同様に上下方向ＤＲ１から挟み込んで溶接する。
【００７２】
このように、信号線６は、ケース１の一主面１Ａに略垂直な方向に幅方向を有する端部６１Ｂ，６２Ｂ，６３Ｂ，６４Ｂおよび６１Ｃ，６２Ｃ，６３Ｃ，６４Ｃを有し、ＤＣ／ＤＣコンバータ２は、ケース１の一主面１Ａに略垂直な方向に配置された信号端子部２６を有し、さらに、制御回路５は、ケース１の一主面１Ａに略垂直な方向に配置された信号端子部５５を有するので、信号線６をＤＣ／ＤＣコンバータ２および制御回路５に上下方向ＤＲ１から容易に接続できる。
【００７３】
バスバー７のケーブル７１，７２は、幅方向がケース１の一主面１Ａに略垂直な方向に配置された端部７１Ｂ，７２Ｂを有するので、一主面１Ａに略垂直な方向に配置された電力端子部２７の端子２７Ａ，２７Ｂにそれぞれ容易に接触する。したがって、端子２７Ａおよび端部７１Ｂ、および端子２７Ｂおよび端部７２Ｂは、上下方向ＤＲ１から容易に溶接することができる。
【００７４】
上述したように、電気機器ユニット１０を構成するＤＣ／ＤＣコンバータ２、コネクタ３、および制御回路５は、上下方向ＤＲ１からケース１の一主面１Ａに容易に固定でき、バスバー４は、ボルトによって上下方向ＤＲ１からＤＣ／ＤＣコンバータ２およびコネクタ３に容易に接続でき、信号線６は、溶接によって上下方向ＤＲ１からＤＣ／ＤＣコンバータ２および制御回路５に容易に接続でき、バスバー７は、溶接によって上下方向ＤＲ１からＤＣ／ＤＣコンバータ２に容易に接続できる。すなわち、電気機器ユニット１０を構成するＤＣ／ＤＣコンバータ２、コネクタ３、バスバー４，７、制御回路５および信号線６を上下方向ＤＲ１（一定方向）から容易に組付けることができる。その結果、電気機器ユニット１０の組付性を向上できる。
【００７５】
図１２は、図３に示す電気機器ユニット１０の電気回路図である。図１２を参照して、バスバー４のケーブル４１は、コネクタ３の端子３３ＡをＤＣ／ＤＣコンバータ２の端子２５Ａに接続し、バスバー４のケーブル４２は、コネクタ３の端子３３ＢをＤＣ／ＤＣコンバータ２の端子２５Ｂに接続する。
【００７６】
ＤＣ／ＤＣコンバータ２は、正母線２１０，２３０と、負母線２２０と、ＭＯＳトランジスタ２１１〜２１４と、トランス２１５，２１６と、ダイオード２１７，２１８と、コイル２１９と、コンデンサ２２１とを含む。
【００７７】
正母線２１０は、その一方端が電力端子部２５の端子２５Ａに接続される。負母線２２０は、その一方端が電力端子部２５の端子２５Ｂに接続される。ＭＯＳトランジスタ２１１，２１２は、正母線２１０と負母線２２０との間に直列に接続される。また、ＭＯＳトランジスタ２１３，２１４は、正母線２１０と負母線２２０との間に直列に接続される。ＭＯＳトランジスタ２１１，２１２は、正母線２１０と負母線２２０との間にＭＯＳトランジスタ２１３，２１４と並列に接続される。そして、ＭＯＳトランジスタ２１１〜２１４のゲート端子は、それぞれ、端子２６Ａ，２６Ｂ，２６Ｃ，２６Ｄに接続される。
【００７８】
トランス２１５は、その一方端がＭＯＳトランジスタ２１１とＭＯＳトランジスタ２１２との間のノードＮ１に接続され、他方端がＭＯＳトランジスタ２１３とＭＯＳトランジスタ２１４との間のノードＮ２に接続される。トランス２１６は、トランス２１５に対向して設けられる。正母線２３０は、一方端がトランス２１６の高圧側に接続される。ダイオード２１７は、トランス２１６からコイル２１９へ出力電流Ｉｏを流すようにトランス２１６とコイル２１９との間の正母線２３０中に接続される。
【００７９】
ダイオード２１８は、ダイオード２１７とコイル２１９との間のノードＮ３からトランス２１６の低圧側への電流を阻止するようにトランス２１６の低圧側とノードＮ３との間に接続される。コイル２１９は、ダイオード２１７と端子２７Ａとの間の正母線２３０中に接続される。
【００８０】
コンデンサ２２１は、コイル２１９の出力側と接地ノードＧＮＤとの間に接続され、コイル２１９からの出力電圧を平滑化して端子２７Ａに供給する。バスバー７のケーブル７１，７２は、一方端が電力端子部２７の端子２７Ａ，２７Ｂにそれぞれ接続される。
【００８１】
ＭＯＳトランジスタ２１１〜２１４は、制御回路５から信号線６および端子２６Ａ，２６Ｂ，２６Ｃ，２６Ｄを介して制御信号をゲート端子に受け、その受けた制御信号によってオン／オフされる。
【００８２】
そして、制御回路５によってＭＯＳトランジスタ２１１，２１４がオンされ、ＭＯＳトランジスタ２１２，２１３がオフされると、正母線２１０、ＭＯＳトランジスタ２１１、ノードＮ１、トランス２１５、ノードＮ２、ＭＯＳトランジスタ２１４および負母線２２０の経路で入力電流Ｉｉｎが流れる。そして、トランス２１５，２１６は、巻線比に応じて入力電圧Ｖｉｎを降圧して出力電圧Ｖｏを出力する。
【００８３】
ＤＣ／ＤＣコンバータ２の二次側では、トランス２１６、ダイオード２１７、コイル２１９、端子２７Ａ、バスバー７のケーブル７１、負荷２４０、接地ノードＧＮＤ、ケーブル７２および端子２７Ｂの経路で出力電流Ｉｏが流れる。
【００８４】
ＭＯＳトランジスタ２１１，２１４がオン／オフされる割合、つまり、デューティー比に応じて、入力電流Ｉｉｎが変化し、トランス２１５に印加される電圧が変化する。すなわち、ＭＯＳトランジスタ２１１，２１４のデューティー比が大きくなると、入力電流Ｉｉｎが増加し、トランス２１５に印加される電圧が増加する。また、ＭＯＳトランジスタ２１１，２１４のデューティー比が小さくなると、入力電流Ｉｉｎが減少し、トランス２１５に印加される電圧が減少する。
【００８５】
そして、トランス２１５，２１６は、トランス２１５に印加される電圧を、その電圧レベルに応じて降圧するので、ＤＣ／ＤＣコンバータ２の二次側の出力電圧Ｖｏは、トランス２１５に印加される電圧に応じて変化する。
【００８６】
このように、ＤＣ／ＤＣコンバータ２は、制御回路５からの制御によってＭＯＳトランジスタ２１１〜２１４がオン／オフされ、端子２５Ａ，２５Ｂを介して正母線２１０と負母線２２０との間に供給された直流電圧をＭＯＳトランジスタ２１１，２１４のデューティー比に応じて電圧変換を行ない、その電圧変換した電圧を負荷２４０へ供給する。
【００８７】
上述したように、電気機器ユニット１０は、バッテリ（図示せず）からコネクタ３を介して受けた直流電圧をＤＣ／ＤＣコンバータ２および制御回路５によって電圧変換を行ない、バスバー７から電気負荷２４０へ供給する。そして、電気機器ユニット１０においては、その構成部品であるＤＣ／ＤＣコンバータ２、コネクタ３、バスバー４，７、制御回路５および信号線６が上下方向ＤＲ１からケース１の一主面１Ａ上に容易に組付け可能である。
【００８８】
図１３は、図３に示すバスバー４の他の斜視図である。図１３を参照して、バスバー４Ａは、図７に示すバスバー４の垂直部４１Ｃおよび水平部４１Ｅを端部４１Ｆに代え、垂直部４２Ｃおよび水平部４２Ｅを端部４２Ｆに代えたものであり、その他は、バスバー４と同じである。
【００８９】
端部４１Ｆ，４２Ｆは、幅方向が上下方向ＤＲ１に略平行である。そして、端部４１Ｆ，４２Ｆは、それぞれ、ケーブル４１，４２の他方端側を本体部４１Ａ，４２Ａに略垂直な方向に湾曲させることによって形成される。
【００９０】
したがって、バスバー４Ａにおいては、ケーブル４１は、一方端に垂直部４１Ｂおよび水平部４１Ｄを有し、他方端に端部４１Ｆを有する。また、ケーブル４２は、一方端に垂直部４２Ｂおよび水平部４２Ｄを有し、他方端に端部４２Ｆを有する。
【００９１】
図１４は、図３に示すバスバー４のさらに他の斜視図である。図１４を参照して、バスバー４Ｂは、図７に示すバスバー４の垂直部４１Ｂおよび水平部４１Ｄを端部４１Ｇに代え、垂直部４２Ｂおよび水平部４２Ｄを端部４２Ｇに代えたものであり、その他は、バスバー４と同じである。
【００９２】
端部４１Ｇ，４２Ｇは、幅方向が上下方向ＤＲ１に略平行である。そして、端部４１Ｇ，４２Ｇは、それぞれ、ケーブル４１，４２の一方端側を本体部４１Ａ，４２Ａに略垂直な方向に湾曲させることによって形成される。
【００９３】
したがって、バスバー４Ｂにおいては、ケーブル４１は、一方端に端部４１Ｇを有し、他方端に垂直部４１Ｃおよび水平部４１Ｅを有する。また、ケーブル４２は、一方端に端部４２Ｇを有し、他方端に垂直部４２Ｃおよび水平部４２Ｅを有する。
【００９４】
図１５は、図３に示すバスバー４のさらに他の斜視図である。図１５を参照して、バスバー４Ｃは、図７に示すバスバー４の垂直部４１Ｂおよび水平部４１Ｄを端部４１Ｇに代え、垂直部４２Ｂおよび水平部４２Ｄを端部４２Ｇに代え、垂直部４１Ｃおよび水平部４１Ｅを端部４１Ｆに代え、垂直部４２Ｃおよび水平部４２Ｅを端部４２Ｆに代えたものであり、その他は、バスバー４と同じである。
【００９５】
端部４１Ｆ，４２Ｆおよび４１Ｇ，４２Ｇについては、上述したとおりである。したがって、バスバー４Ｃにおいては、ケーブル４１は、幅方向が上下方向ＤＲ１に略平行な端部４１Ｆ，４１Ｇを両端に有し、ケーブル４２は、幅方向が上下方向ＤＲ１に略平行な端部４２Ｆ，４２Ｇを両端に有する。
【００９６】
図１６は、図３に示す信号線６の他の斜視図である。図１６を参照して、信号線６Ａは、図９に示す信号線６の端部６１Ｂを垂直部６１Ｄおよび水平部６１Ｅに代え、端部６２Ｂを垂直部６２Ｄおよび水平部６２Ｅに代え、端部６３Ｂを垂直部６３Ｄおよび水平部６３Ｅに代え、端部６４Ｂを垂直部６４Ｄおよび水平部６４Ｅに代えたものであり、その他は、信号線６と同じである。
【００９７】
垂直部６１Ｄは、本体部６１Ａに略垂直であり、板状形状の幅方向が信号線６の長さ方向ＤＲ４を向いている。水平部６１Ｅは、垂直部６１Ｄに略垂直であり、ケース１の一主面１Ａに略平行である。
【００９８】
垂直部６１Ｄは、本体部６１Ａの一方端を上下方向ＤＲ１へ湾曲して形成され、水平部６１Ｅは、上下方向ＤＲ１へ湾曲された垂直部６１Ｄの端部をケース１の一主面１Ａの面内方向へ湾曲して形成される。
【００９９】
そして、水平部６１Ｅは、穴６１１を有する。
【０１００】
垂直部６２Ｄ，６３Ｄ，６４Ｄは、垂直部６１Ｄと同じであり、水平部６２Ｅ，６３Ｅ，６４Ｅは、水平部６１Ｅと同じである。そして、水平部６２Ｅ，６３Ｅ，６４Ｅは、それぞれ、穴６２１，６３１，６４１を有する。
【０１０１】
このように、信号線６においては、ケーブル６１は、一方端に垂直部６１Ｄおよび水平部６１Ｅを有し、他方端に端部６１Ｃを有する。また、ケーブル６２は、一方端に垂直部６２Ｄおよび水平部６２Ｅを有し、他方端に端部６２Ｃを有する。さらに、ケーブル６３は、一方端に垂直部６３Ｄおよび水平部６３Ｅを有し、他方端に端部６３Ｃを有する。さらに、ケーブル６４は、一方端に垂直部６４Ｄおよび水平部６４Ｅを有し、他方端に端部６４Ｃを有する。
【０１０２】
図１７は、図３に示す信号線６のさらに他の斜視図である。図１７を参照して、信号線６Ｂは、図９に示す信号線６の端部６１Ｃを垂直部６１Ｆおよび水平部６１Ｇに代え、端部６２Ｃを垂直部６２Ｆおよび水平部６２Ｇに代え、端部６３Ｃを垂直部６３Ｆおよび水平部６３Ｇに代え、端部６４Ｃを垂直部６４Ｆおよび水平部６４Ｇに代えたものであり、その他は、信号線６と同じである。
【０１０３】
垂直部６１Ｆは、本体部６１Ａに略垂直であり、板状形状の幅方向が信号線６の長さ方向ＤＲ４を向いている。水平部６１Ｇは、垂直部６１Ｆに略垂直であり、ケース１の一主面１Ａに略平行である。
【０１０４】
垂直部６１Ｆは、本体部６１Ａの一方端を上下方向ＤＲ１へ湾曲して形成され、水平部６１Ｇは、上下方向ＤＲ１へ湾曲された垂直部６１Ｆの端部をケース１の一主面１Ａの面内方向へ湾曲して形成される。
【０１０５】
そして、水平部６１Ｇは、穴６１２を有する。
【０１０６】
垂直部６２Ｆ，６３Ｆ，６４Ｆは、垂直部６１Ｆと同じであり、水平部６２Ｇ，６３Ｇ，６４Ｇは、水平部６１Ｇと同じである。そして、水平部６２Ｇ，６３Ｇ，６４Ｇは、それぞれ、穴６２２，６３２，６４２を有する。
【０１０７】
このように、信号線６Ａにおいては、ケーブル６１は、一方端に端部６１Ｂを有し、他方端に垂直部６１Ｆおよび水平部６１Ｇを有する。また、ケーブル６２は、一方端に端部６２Ｂを有し、他方端に垂直部６２Ｆおよび水平部６２Ｇを有する。さらに、ケーブル６３は、一方端に端部６３Ｂを有し、他方端に垂直部６３Ｆおよび水平部６３Ｇを有する。さらに、ケーブル６４は、一方端に端部６４Ｂを有し、他方端に垂直部６４Ｆおよび水平部６４Ｇを有する。
【０１０８】
図１８は、図３に示す信号線６のさらに他の斜視図である。図１８を参照して、信号線６Ｃは、図９に示す信号線６の端部６１Ｂを垂直部６１Ｄおよび水平部６１Ｅに代え、端部６２Ｂを垂直部６２Ｄおよび水平部６２Ｅに代え、端部６３Ｂを垂直部６３Ｄおよび水平部６３Ｅに代え、端部６４Ｂを垂直部６４Ｄおよび水平部６４Ｅに代え、端部６１Ｃを垂直部６１Ｆおよび水平部６１Ｇに代え、端部６２Ｃを垂直部６２Ｆおよび水平部６２Ｇに代え、端部６３Ｃを垂直部６３Ｆおよび水平部６３Ｇに代え、端部６４Ｃを垂直部６４Ｆおよび水平部６４Ｇに代えたものであり、その他は、信号線６と同じである。
【０１０９】
垂直部６１Ｄ，６２Ｄ，６３Ｄ，６４Ｄ，６１Ｆ，６２Ｆ，６３Ｆ，６４Ｆおよび水平部６１Ｅ，６２Ｅ，６３Ｅ，６４Ｅ，６１Ｇ，６２Ｇ，６３Ｇ，６４Ｇについては、上述したとおりである。
【０１１０】
信号線６Ｃにおいては、ケーブル６１は、両端に垂直部６１Ｄ，６１Ｆおよび水平部６１Ｅ，６１Ｇを有し、ケーブル６２は、両端に垂直部６２Ｄ，６２Ｆおよび水平部６２Ｅ，６２Ｇを有し、ケーブル６３は、両端に垂直部６３Ｄ，６３Ｆおよび水平部６３Ｅ，６３Ｇを有し、ケーブル６４は、両端に垂直部６４Ｄ，６４Ｆおよび水平部６４Ｅ，６４Ｇを有する。
【０１１１】
図１９は、図３に示すＤＣ／ＤＣコンバータ２の他の斜視図である。図１９を参照して、ＤＣ／ＤＣコンバータ２Ａは、図５に示すＤＣ／ＤＣコンバータ２の電力端子部２５を電力端子部２８に代えたものであり、その他は、ＤＣ／ＤＣコンバータ２と同じである。
【０１１２】
電力端子部２８は、端子２８Ａ，２８Ｂからなる。端子２８Ａ，２８Ｂは、本体部２１の上面２１Ｄに略垂直な平板形状からなる。
【０１１３】
このように、ＤＣ／ＤＣコンバータ２Ａは、本端部２１の上面２１Ｄに略垂直な平面形状からなる信号端子部２６および電力端子部２７，２８を有する。
【０１１４】
図２０は、図３に示すＤＣ／ＤＣコンバータ２のさらに他の斜視図である。図２０を参照して、ＤＣ／ＤＣコンバータ２Ｂは、図５に示すＤＣ／ＤＣコンバータ２の信号端子部２６を信号端子部２９に代え、電力端子部２７を電力端子部３０に代えたものであり、その他は、ＤＣ／ＤＣコンバータ２と同じである。
【０１１５】
信号端子部２９は、端子２９Ａ，２９Ｂ，２９Ｃ，２９Ｄからなる。端子２９Ａ，２９Ｂ，２９Ｃ，２９Ｄは、本体部２１の上面２１Ｄに略平行な平板形状からなり、それぞれ、ボルトを通すための穴２９１〜２９４を有する。この穴２９１〜２９４は、電気機器ユニット１０の上下方向ＤＲ１を向いている。
【０１１６】
電力端子部３０は、端子３０Ａ，３０Ｂからなる。端子３０Ａ，３０Ｂは、本体部２１の上面２１Ｄに略平行な平板形状からなり、それぞれ、ボルトを通すための穴３０１，３０２を有する。この穴３０１，３０２は、上下方向ＤＲ１を向いている。
【０１１７】
このように、ＤＣ／ＤＣコンバータ２Ｂは、本体部２１の上面２１Ｄに略平行な平板形状からなる電力端子部２５，３０および信号端子部２９を有する。
【０１１８】
図２１は、図３に示すＤＣ／ＤＣコンバータ２のさらに他の斜視図である。図２１を参照して、ＤＣ／ＤＣコンバータ２Ｃは、図５に示すＤＣ／ＤＣコンバータ２の信号端子部２６を信号端子部２９に代えたものであり、その他は、ＤＣ／ＤＣコンバータ２と同じである。信号端子部２９については、図２０において説明したとおりである。
【０１１９】
したがって、ＤＣ／ＤＣコンバータ２Ｃは、本体部２１の上面２１Ｄに略平行な平板形状からなる電力端子部２５および信号端子部２９と、本体部２１の上面２１Ｄに略垂直な平板形状からなる電力端子部２７とを有する。
【０１２０】
図２２は、図３に示すＤＣ／ＤＣコンバータ２のさらに他の斜視図である。図２２を参照して、ＤＣ／ＤＣコンバータ２Ｄは、図５に示すＤＣ／ＤＣコンバータ２の電力端子部２５を電力端子部２８に代え、信号端子部２６を信号端子部２９に代えたものであり、その他は、ＤＣ／ＤＣコンバータ２と同じである。
【０１２１】
電力端子部２８については、図１９において説明したとおりであり、信号端子部２９については、図２０において説明したとおりである。
【０１２２】
したがって、ＤＣ／ＤＣコンバータ２Ｄは、本体部２１の上面２１Ｄに略垂直な平板形状からなる電力端子部２７と、本体部２１の上面２１Ｄに略平行な平板形状からなる電力端子部２８および信号端子部２９とを有する。
【０１２３】
図２３は、図３に示すＤＣ／ＤＣコンバータ２のさらに他の斜視図である。図２３を参照して、ＤＣ／ＤＣコンバータ２Ｅは、図５に示すＤＣ／ＤＣコンバータ２の電力端子部２７を電力端子部３０に代えたものであり、その他は、ＤＣ／ＤＣコンバータ２と同じである。電力端子部３０については、図２０において説明したとおりである。
【０１２４】
したがって、ＤＣ／ＤＣコンバータ２Ｅは、本体部２１の上面２１Ｄに略平行な平板形状からなる電力端子部２５および３０と、本体部２１の上面２１Ｄに略垂直な平板形状からなる信号端子部２６とを有する。
【０１２５】
図２４は、図３に示すＤＣ／ＤＣコンバータ２のさらに他の斜視図である。図２４を参照して、ＤＣ／ＤＣコンバータ２Ｆは、図５に示すＤＣ／ＤＣコンバータ２の電力端子部２５，２７をそれぞれ電力端子部２８，３０に代え、信号端子部２６を信号端子部２９に代えたものであり、その他は、ＤＣ／ＤＣコンバータ２と同じである。
【０１２６】
電力端子部２８については、図１９において説明したとおりであり、信号端子部２９および電力端子部３０については図２０において説明したとおりである。
【０１２７】
したがって、ＤＣ／ＤＣコンバータ２Ｆは、本体部２１の上面２１Ｄに略垂直な平板形状からなる電力端子部２８と、本体部２１の上面２１Ｄに略平行な平板形状ならなる信号端子部２９および電力端子部３０とを有する。
【０１２８】
図２５は、図３に示すＤＣ／ＤＣコンバータ２のさらに他の斜視図である。図２５を参照して、ＤＣ／ＤＣコンバータ２Ｇは、図５に示すＤＣ／ＤＣコンバータ２の電力端子部２５，２７をそれぞれ電力端子部２８，３０に代えたものであり、その他は、ＤＣ／ＤＣコンバータ２と同じである。
【０１２９】
電力端子部２８については、図１９において説明したとおりであり、電力端子部３０については、図２０において説明したとおりである。
【０１３０】
したがって、ＤＣ／ＤＣコンバータ２Ｇは、本体部２１の上面２１Ｄに略垂直な平板形状からなる信号端子部２６および電力端子部２８と、本体部２１の上面２１Ｄに略平行な平板形状からなる電力端子部３０とを有する。
【０１３１】
図２６は、図３に示す制御回路５の他の斜視図である。図２６を参照して、制御回路５Ａは、図６に示す制御回路５の信号端子部５５を信号端子部５６に代えたものであり、その他は、制御回路５と同じである。
【０１３２】
信号端子部５６は、端子５６Ａ，５６Ｂ，５６Ｃ，５６Ｄからなる。端子５６Ａ，５６Ｂ，５６Ｃ，５６Ｄは、本体部５１の上面５１Ｄに略平行な平板形状からなり、それぞれ、ボルトを通すための穴５６１〜５６４を有する。この穴５６１〜５６４は、電気機器ユニット１０の上下方向ＤＲ１を向いている。
【０１３３】
このように、制御回路５Ａは、本体部５１の上面５１Ｄに略平行な平板形状からなる信号端子部５６を有する。
【０１３４】
図２７は、図３に示すコネクタ３の他の斜視図である。図２７を参照して、コネクタ３Ａは、コネクタ３の出力端子３３を出力端子３４に代えたものであり、その他は、コネクタ３と同じである。
【０１３５】
出力端子３４は、端子３４Ａ，３４Ｂからなる。端子３４Ａは、略Ｌ字形状の断面形状を有し、水平部３４１と垂直部３４２とからなる。水平部３４１は、本体部３１の上面３１Ａに略平行であり、垂直部３４２は、水平部３４１に略垂直である。端子３４Ａは、水平部３４１によって本体部３１に固定される。
【０１３６】
端子３４Ｂも、略Ｌ字形状の断面形状を有し、水平部３４３と垂直部３４４とからなる。水平部３４３は、上面３１Ａに略平行であり、垂直部３４４は、水平部３４３に略垂直である。端子３４Ｂは、水平部３４３によって本体部３１に固定される。
【０１３７】
このように、コネクタ３Ａは、電気機器ユニット１０の上下方向ＤＲ１に向いた垂直部３４２，３４４を有する出力端子３４を備える。
【０１３８】
この発明においては、電気機器ユニット１０は、ＤＣ／ＤＣコンバータ２に代えてＤＣ／ＤＣコンバータ２Ａ，２Ｂ，２Ｃ，２Ｄ，２Ｆ，２Ｇ，２Ｈのいずれかを備えていてもよく、制御回路５に代えて制御回路５Ａを備えていてもよく、コネクタ３に代えてコネクタ３Ａを備えていてもよく、バスバー４に代えてバスバー４Ａ，４Ｂ，４Ｃのいずれかを備えていてもよく、信号線６に代えて信号線６Ａ，６Ｂ，６Ｃのいずれかを備えていてもよい。
【０１３９】
なお、上記においては、特に図示していないが、バスバー７についても端部７１Ｂをバスバー４の垂直部４１Ｂおよび水平部４１Ｄに代え、端部７２Ｂをバスバー４の垂直部４２Ｂおよび水平部４２Ｄに代えてもよい。そして、電気機器ユニット１０は、バスバー７に代えて、そのように変更したバスバーを備えていてもよい。
【０１４０】
電気機器ユニット１０がＤＣ／ＤＣコンバータ２に代えてＤＣ／ＤＣコンバータ２Ａ（図１９参照）を備える場合、バスバー４をバスバー４Ａ（図１３参照）に代えればよい。この場合、バスバー４Ａとコネクタ３との接続は、上述したとおり行なわれ、バスバー４ＡとＤＣ／ＤＣコンバータ２Ａとの接続は、バスバー４Ａの端部４１Ｆ，４２ＦをそれぞれＤＣ／ＤＣコンバータ２Ａの電力端子部２８の端子２８Ａ，２８Ｂと上下方向ＤＲ１から溶接することにより行なわれる。
【０１４１】
また、電気機器ユニット１０がＤＣ／ＤＣコンバータ２に代えてＤＣ／ＤＣコンバータ２Ｂ（図２０参照）を備える場合、信号線６を信号線６Ｂ（図１７参照）に代え、バスバー７の端部７１Ｂ，７２Ｂを図１３に示す垂直部４１Ｂ，４２Ｂおよび水平部４１Ｄ，４２Ｄを有するバスバーに代えればよい。なお、この代えたバスバーを「バスバー７ＣＨＧ」とする。
【０１４２】
この場合、信号線６Ｂと制御回路５との接続は、上述したとおり行なわれ、信号線６ＢとＤＣ／ＤＣコンバータ２Ｂとの接続は、信号線６Ｂの水平部６１Ｇ，６２Ｇ，６３Ｇ，６４Ｇの穴６１２，６２２，６３２，６４２および信号端子部２９の穴２９１〜２９４に上下方向ＤＲ１からボルトを通し、水平部６１Ｇ，６２Ｇ，６３Ｇ，６４Ｇをそれぞれ端子２９Ａ，２９Ｂ，２９Ｃ，２９Ｄに締結することにより行なわれる。また、バスバー７ＣＨＧとＤＣ／ＤＣコンバータ２Ｂとの接続は、バスバー７ＣＨＧの水平部４１Ｄ，４２Ｄの穴４１１，４２１および電力端子部３０の穴３０１，３０２に上下方向ＤＲ１からボルトを通し、水平部４１Ｄ，４２Ｄをそれぞれ端子３０Ａ，３０Ｂに締結することにより行なわれる。
【０１４３】
さらに、電気機器ユニット１０がＤＣ／ＤＣコンバータ２に代えてＤＣ／ＤＣコンバータ２Ｃ（図２１参照）を備える場合、信号線６を信号線６Ｂ（図１７参照）に代えればよい。この場合、信号線６Ｂと制御回路５との接続は、上述したとおり行なわれ、信号線６ＢとＤＣ／ＤＣコンバータ２Ｃとの接続も上述したとおり行なわれる。
【０１４４】
さらに、電気機器ユニット１０がＤＣ／ＤＣコンバータ２に代えてＤＣ／ＤＣコンバータ２Ｄ（図２２参照）を備える場合、バスバー４をバスバー４Ａ（図１３参照）に代え、信号線６を信号線６Ｂ（図１７参照）に代えればよい。この場合、バスバー４Ａとコネクタ３との接続は、上述したとおり行なわれ、バスバー４ＡとＤＣ／ＤＣコンバータ２Ｄとの接続は、バスバー４Ａの端部４１Ｆ，４２ＦをそれぞれＤＣ／ＤＣコンバータ２Ｄの電力端子部２８の端子２８Ａ，２８Ｂと上下方向ＤＲ１から溶接することにより行なわれる。また、信号線６Ｂと制御回路５との接続は、上述したとおり行なわれ、信号線６ＢとＤＣ／ＤＣコンバータ２Ｄとの接続も、上述したとおり行なわれる。
【０１４５】
さらに、電気機器ユニット１０がＤＣ／ＤＣコンバータ２に代えてＤＣ／ＤＣコンバータ２Ｅ（図２３参照）を備える場合、バスバー７をバスバー７ＣＨＧに代えればよい。この場合、バスバー７ＣＨＧとＤＣ／ＤＣコンバータ２Ｅとの接続は、上述したとおり行なわれる。
【０１４６】
さらに、電気機器ユニット１０がＤＣ／ＤＣコンバータ２に代えてＤＣ／ＤＣコンバータ２Ｆ（図２４参照）を備える場合、バスバー４をバスバー４Ａ（図１３参照）に代え、信号線６を信号線６Ｂ（図１７参照）に代え、バスバー７をバスバー７ＣＨＧに代えればよい。
【０１４７】
この場合、バスバー４Ａとコネクタ３との接続は、上述したとおり行なわれ、バスバー４ＡとＤＣ／ＤＣコンバータ２Ｆとの接続は、バスバー４Ａの端部４１Ｆ，４２ＦをそれぞれＤＣ／ＤＣコンバータ２Ｆの電力端子部２８の端子２８Ａ，２８Ｂと上下方向ＤＲ１から溶接することにより行なわれる。また、信号線６Ｂと制御回路５との接続は、上述したとおり行なわれ、信号線６ＢとＤＣ／ＤＣコンバータ２Ｆとの接続は、信号線６Ｂの水平部６１Ｇ，６２Ｇ，６３Ｇ，６４Ｇの穴６１２，６２２，６３２，６４２および信号端子部２９の穴２９１〜２９４に上下方向ＤＲ１からボルトを通し、水平部６１Ｇ，６２Ｇ，６３Ｇ，６４Ｇをそれぞれ端子２９Ａ，２９Ｂ，２９Ｃ，２９Ｄに締結することにより行なわれる。さらに、バスバー７ＣＨＧとＤＣ／ＤＣコンバータ２Ｆとの接続は、バスバー７ＣＨＧの水平部４１Ｄ，４２Ｄの穴４１１，４２１および電力端子部３０の穴３０１，３０２に上下方向ＤＲ１からボルトを通し、水平部４１Ｄ，４２Ｄをそれぞれ端子３０Ａ，３０Ｂに締結することにより行なわれる。
【０１４８】
さらに、電気機器ユニット１０がＤＣ／ＤＣコンバータ２に代えてＤＣ／ＤＣコンバータ２Ｇ（図２５参照）を備える場合、バスバー４をバスバー４Ａ（図１３参照）に代え、バスバー７をバスバー７ＣＨＧに代えればよい。この場合、バスバー４Ａとコネクタ３との接続は、上述したとおり行なわれ、バスバー４ＡとＤＣ／ＤＣコンバータ２Ｇとの接続は、バスバー４Ａの端部４１Ｆ，４２ＦをそれぞれＤＣ／ＤＣコンバータ２Ｇの電力端子部２８の端子２８Ａ，２８Ｂと上下方向ＤＲ１から溶接することにより行なわれる。また、バスバー７ＣＨＧとＤＣ／ＤＣコンバータ２Ｇとの接続は、バスバー７ＣＨＧの水平部４１Ｄ，４２Ｄの穴４１１，４２１および電力端子部３０の穴３０１，３０２に上下方向ＤＲ１からボルトを通し、水平部４１Ｄ，４２Ｄをそれぞれ端子３０Ａ，３０Ｂに締結することにより行なわれる。
【０１４９】
さらに、電気機器ユニット１０がコネクタ３に代えてコネクタ３Ａ（図２７参照）を備える場合、バスバー４をバスバー４Ｂ（図１４参照）に代えればよい。この場合、バスバー４Ｂとコネクタ３Ａとの接続は、バスバー４Ｂの端部４１Ｇ，４２Ｇをそれぞれコネクタ３Ａの垂直部３４２，３４４に接触させ、上下方向ＤＲ１から溶接することにより行なわれ、バスバー４ＢとＤＣ／ＤＣコンバータ２との接続は、上述したとおり行なわれる。
【０１５０】
さらに、電気機器ユニット１０が制御回路５に代えて制御回路５Ａ（図２６参照）を備える場合、信号線６を信号線６Ａ（図１６参照）に代えればよい。この場合、信号線６ＡとＤＣ／ＤＣコンバータ２との接続は、上述したとおり行なわれ、信号線６Ａと制御回路５Ａとの接続は、信号線６Ａの水平部６１Ｅ，６２Ｅ，６３Ｅ，６４Ｅの穴６１１，６２１，６３１，６４１および信号端子部５６の穴５６１〜５６４にボルトを上下方向ＤＲ１から通し、水平部６１Ｅ，６２Ｅ，６３Ｅ，６４Ｅをそれぞれ端子５６Ａ，５６Ｂ，５６Ｃ，５６Ｄに締結することにより行なわれる。
【０１５１】
さらに、電気機器ユニット１０がＤＣ／ＤＣコンバータ２に代えてＤＣ／ＤＣコンバータ２Ａ（図１９参照）を備え、コネクタ３に代えてコネクタ３Ａ（図２７参照）を備える場合、バスバー４をバスバー４Ｃ（図１５参照）に代えればよい。この場合、バスバー４ＣとＤＣ／ＤＣコンバータ２Ａとの接続は、バスバー４Ｃの端部４１Ｆ，４２Ｆをそれぞれ電力端子部２８の端子２８Ａ，２８Ｂに接触させ、上下方向ＤＲ１から溶接することにより行なわれ、バスバー４Ｃとコネクタ３Ａとの接続は、バスバー４Ｃの端部４１Ｇ，４２Ｇをそれぞれコネクタ３Ａの垂直部３４２，３４４に接触させ、上下方向ＤＲ１から溶接することにより行なわれる。
【０１５２】
さらに、電気機器ユニット１０がＤＣ／ＤＣコンバータ２に代えてＤＣ／ＤＣコンバータ２Ｂ（図２０参照）を備え、コネクタ３に代えてコネクタ３Ａ（図２７参照）を備える場合、バスバー４をバスバー４Ｂ（図１４参照）に代え、信号線６を信号線６Ｂ（図１７参照）に代え、バスバー７をバスバー７ＣＨＧに代えればよい。この場合、バスバー４ＢとＤＣ／ＤＣコンバータ２Ｂとの接続およびバスバー４Ｂとコネクタ３Ａとの接続は、上述したとおり行なわれる。また、信号線６ＢとＤＣ／ＤＣコンバータ２Ｂとの接続および信号線６Ｂと制御回路５との接続は、上述したとおり行なわれる。また、バスバー７ＣＨＧとＤＣ／ＤＣコンバータ２Ｂとの接続も、上述したとおり行なわれる。
【０１５３】
さらに、電気機器ユニット１０がＤＣ／ＤＣコンバータ２に代えてＤＣ／ＤＣコンバータ２Ｃ（図２１参照）を備え、コネクタ３に代えてコネクタ３Ａ（図２７参照）を備える場合、バスバー４をバスバー４Ｂ（図１４参照）に代え、信号線６を信号線６Ｂ（図１７参照）に代え、バスバー７をバスバー７ＣＨＧに代えればよい。この場合、バスバー４ＢとＤＣ／ＤＣコンバータ２Ｃとの接続およびバスバー４Ｂとコネクタ３Ａとの接続は、上述したとおり行なわれる。また、信号線６ＢとＤＣ／ＤＣコンバータ２Ｃとの接続および信号線６Ｂと制御回路５との接続は、上述したとおり行なわれる。
【０１５４】
さらに、電気機器ユニット１０がＤＣ／ＤＣコンバータ２に代えてＤＣ／ＤＣコンバータ２Ｄ（図２２参照）を備え、コネクタ３に代えてコネクタ３Ａ（図２７参照）を備える場合、バスバー４をバスバー４Ｃ（図１５参照）に代え、信号線６を信号線６Ｂ（図１７参照）に代えればよい。この場合、バスバー４ＣとＤＣ／ＤＣコンバータ２Ｄとの接続およびバスバー４Ｃとコネクタ３Ａとの接続は、上述したとおり行なわれ、信号線６ＢとＤＣ／ＤＣコンバータ２Ｄとの接続および信号線６Ｂと制御回路５Ａとの接続は、上述したとおり行なわれる。
【０１５５】
さらに、電気機器ユニット１０がＤＣ／ＤＣコンバータ２に代えてＤＣ／ＤＣコンバータ２Ｅ（図２３参照）を備え、コネクタ３に代えてコネクタ３Ａ（図２７参照）を備える場合、バスバー４をバスバー４Ｂ（図１４参照）に代え、バスバー７をバスバー７ＣＨＧに代えればよい。この場合、バスバー４ＢとＤＣ／ＤＣコンバータ２Ｅとの接続およびバスバー４Ｂとコネクタ３Ａとの接続は、上述したとおり行なわれる。また、バスバー７ＣＨＧとＤＣ／ＤＣコンバータ２Ｅとの接続も上述したとおり行なわれる。
【０１５６】
さらに、電気機器ユニット１０がＤＣ／ＤＣコンバータ２に代えてＤＣ／ＤＣコンバータ２Ｆ（図２４参照）を備え、コネクタ３に代えてコネクタ３Ａ（図２７参照）を備える場合、バスバー４をバスバー４Ｃ（図１５参照）に代え、信号線６を信号線６Ｂ（図１７参照）に代え、バスバー７をバスバー７ＣＨＧに代えればよい。この場合、バスバー４ＣとＤＣ／ＤＣコンバータ２Ｆとの接続およびバスバー４Ｃとコネクタ３Ａとの接続は、上述したとおり行なわれ、信号線６ＢとＤＣ／ＤＣコンバータ２Ｆとの接続および信号線６Ｂと制御回路５との接続は、上述したとおり行なわれる。また、バスバー７ＣＨＧとＤＣ／ＤＣコンバータ２Ｆとの接続も上述したとおり行なわれる。
【０１５７】
さらに、電気機器ユニット１０がＤＣ／ＤＣコンバータ２に代えてＤＣ／ＤＣコンバータ２Ｇ（図２５参照）を備え、コネクタ３に代えてコネクタ３Ａ（図２７参照）を備える場合、バスバー４をバスバー４Ｃ（図１５参照）に代え、バスバー７をバスバー７ＣＨＧに代えればよい。この場合、バスバー４ＣとＤＣ／ＤＣコンバータ２Ｇとの接続およびバスバー４Ｃとコネクタ３Ａとの接続は、上述したとおり行なわれ、バスバー７ＣＨＧとＤＣ／ＤＣコンバータ２Ｇとの接続も上述したとおり行なわれる。
【０１５８】
さらに、電気機器ユニット１０がＤＣ／ＤＣコンバータ２に代えてＤＣ／ＤＣコンバータ２Ａ，２Ｂ，２Ｃ，２Ｅ，２Ｄ，２Ｅ，２Ｆ，２Ｇ（図１９〜図２５参照）のいずれかを備え、制御回路５に代えて制御回路５Ａ（図２６参照）を備える場合、バスバー４，４Ａ（図７および図１３参照）のいずれかが用いられ、信号線６Ａ，６Ｃ（図１６および図１８参照）のいずれかが用いられ、バスバー７，７ＣＨＧのいずれかが用いられる。
【０１５９】
この場合、バスバー４，４ＡのいずれかとＤＣ／ＤＣコンバータ２Ａ，２Ｂ，２Ｃ，２Ｅ，２Ｄ，２Ｅ，２Ｆ，２Ｇのいずれかとの接続、およびバスバー４，４Ａのいずれかとコネクタ３との接続は、上述したとおり行なわれる。また、バスバー７，７ＣＨＧのいずれかとＤＣ／ＤＣコンバータ２Ａ，２Ｂ，２Ｃ，２Ｅ，２Ｄ，２Ｅ，２Ｆ，２Ｇのいずれかとの接続も、上述したとおり行なわれる。さらに、信号線６ＡとＤＣ／ＤＣコンバータ２Ａ，２Ｅ，２Ｇのいずれかとの接続は、信号線６Ａの端部６１Ｃ，６２Ｃ，６３Ｃ，６４Ｃをそれぞれ信号端子部２６の端子２６Ａ，２６Ｂ，２６Ｃ，２６Ｄに接触させ、上下方向ＤＲ１から溶接することにより行なわれ、信号線６Ａと制御回路５Ａとの接続は、信号線６Ａの水平部６１Ｅ，６２Ｅ，６３Ｅ，６４Ｅの穴６１１，６２１，６３１，６４１および信号端子部５６の穴５６１〜５６４にボルトを上下方向ＤＲ１から通し、水平部６１Ｅ，６２Ｅ，６３Ｅ，６４Ｅをそれぞれ端子５６Ａ，５６Ｂ，５６Ｃ，５６Ｄに締結することにより行なわれる。さらに、信号線６ＣとＤＣ／ＤＣコンバータ２Ｂ，２Ｃ，２Ｄ，２Ｆのいずれかとの接続は、信号線６Ｃの水平部６１Ｇ，６２Ｇ，６３Ｇ，６４Ｇの穴６１２，６２２，６３２，６４２および信号端子部２９の穴２９１〜２９４にボルトを上下方向ＤＲ１から通し、水平部６１Ｇ，６２Ｇ，６３Ｇ，６４Ｇをそれぞれ端子２９Ａ，２９Ｂ，２９Ｃ，２９Ｄに締結することにより行なわれ、信号線６Ｃと制御回路５Ａとの接続は、上述したとおり行なわれる。
【０１６０】
さらに、電気機器ユニット１０がコネクタ３に代えてコネクタ３Ａ（図２７参照）を備え、制御回路５に代えて制御回路５Ａ（図２６参照）を備える場合、バスバー４Ｂ（図１４参照）が用いられ、信号線６Ａが用いられ、バスバー７（図８参照）が用いられる。この場合、バスバー４ＢとＤＣ／ＤＣコンバータ２との接続およびバスバー４Ｂとコネクタ３Ａとの接続は、上述したとおり行なわれ、信号線６ＡとＤＣ／ＤＣコンバータ２との接続および信号線６Ａと制御回路５Ａとの接続も上述したとおり行なわれ、さらに、バスバー７とＤＣ／ＤＣコンバータ２との接続も上述したとおり行なわれる。
【０１６１】
さらに、電気機器ユニット１０がＤＣ／ＤＣコンバータ２に代えてＤＣ／ＤＣコンバータ２Ａ，２Ｂ，２Ｃ，２Ｅ，２Ｄ，２Ｅ，２Ｆ，２Ｇ（図１９〜図２５参照）のいずれかを備え、コネクタ３に代えてコネクタ３Ａ（図２７参照）を備え、制御回路５に代えて制御回路５Ａ（図２６参照）を備える場合、バスバー４Ｂ，４Ｃ（図１４および図１５参照）のいずれかが用いられ、信号線６Ａ，６Ｃ（図１６および図１８参照）のいずれかが用いられ、バスバー７，７ＣＨＧのいずれかが用いられる。
【０１６２】
この場合、バスバー４Ｂ，４ＣのいずれかとＤＣ／ＤＣコンバータ２Ａ，２Ｂ，２Ｃ，２Ｅ，２Ｄ，２Ｅ，２Ｆ，２Ｇのいずれかとの接続およびバスバー４Ｂ，４Ｃのいずれかとコネクタ３Ａとの接続は、上述したとおり行なわれ、信号線６Ａ，６ＣのいずれかとＤＣ／ＤＣコンバータ２Ａ，２Ｂ，２Ｃ，２Ｅ，２Ｄ，２Ｅ，２Ｆ，２Ｇのいずれかとの接続および信号線６Ａ，６Ｃのいずれかと制御回路５Ａとの接続も上述したとおり行なわれ、さらに、バスバー７，７ＣＨＧのいずれかとＤＣ／ＤＣコンバータ２Ａ，２Ｂ，２Ｃ，２Ｅ，２Ｄ，２Ｅ，２Ｆ，２Ｇのいずれかとの接続も上述したとおり行なわれる。
【０１６３】
上述したように、電気機器ユニット１０は、ＤＣ／ＤＣコンバータ２，２Ａ，２Ｂ，２Ｃ，２Ｅ，２Ｄ，２Ｅ，２Ｆ，２Ｇのいずれかと、コネクタ３，３Ａのいずれかと、バスバー４，４Ａ，４Ｂ，４Ｃのいずれかと、制御回路５，５Ａのいずれかと、信号線６，６Ａ，６Ｂ，６Ｃのいずれかと、バスバー７，７ＣＨＧのいずれかとにより構成される。
【０１６４】
この場合、バスバー４，４Ａ，４Ｂ，４ＣのいずれかとＤＣ／ＤＣコンバータ２，２Ａ，２Ｂ，２Ｃ，２Ｅ，２Ｄ，２Ｅ，２Ｆ，２Ｇのいずれかとの接続は、上下方向ＤＲ１からのボルトによる締結により行なわれるか、上下方向ＤＲ１からの溶接により行なわれる。また、バスバー４，４Ａ，４Ｂ，４Ｃのいずれかとコネクタ３，３Ａのいずれかとの接続も、上下方向ＤＲ１からのボルトによる締結により行なわれるか、上下方向ＤＲ１からの溶接により行なわれる。さらに、信号線６，６Ａ，６Ｂ，６ＣのいずれかとＤＣ／ＤＣコンバータ２，２Ａ，２Ｂ，２Ｃ，２Ｅ，２Ｄ，２Ｅ，２Ｆ，２Ｇのいずれかとの接続、および信号線線６，６Ａ，６Ｂ，６Ｃのいずれかと制御回路５，５Ａのいずれかとの接続も、上下方向ＤＲ１からのボルトによる締結により行なわれるか、上下方向ＤＲ１からの溶接により行なわれる。さらに、バスバー７，７ＣＨＧのいずれかとＤＣ／ＤＣコンバータ２，２Ａ，２Ｂ，２Ｃ，２Ｅ，２Ｄ，２Ｅ，２Ｆ，２Ｇのいずれかとの接続も、上下方向ＤＲ１からのボルトによる締結により行なわれるか、上下方向ＤＲ１からの溶接により行なわれる。
【０１６５】
したがって、この発明によれば、ＤＣ／ＤＣコンバータ２Ａ，２Ｂ，２Ｃ，２Ｅ，２Ｄ，２Ｅ，２Ｆ，２Ｇ、コネクタ３，３Ａ、バスバー４，４Ａ，４Ｂ，４Ｃ、制御回路５，５Ａ、信号線６，６Ａ，６Ｂ，６Ｃ、およびバスバー７，７ＣＨＧの組付け作業を一定方向（上下方向ＤＲ１）から行なうことができ、電気機器ユニット１０の構成部品の組付性を向上できる。
【０１６６】
上記においては、電気機器ユニット１０は、平板形状のケース１を備えると説明したが、この発明においては、電気機器ユニット１０は、側壁のあるケースを備えていてもよい。
【０１６７】
図２８は、実施の形態１におけるケースの他の断面図である。図２８を参照して、ケース１００は、底部１０１と、側壁１０２とを含む。側壁１０２は、底部１０１の周辺部に配設され、底部１０１の一主面１０１Ａを囲む。また、側壁１０２は、貫通孔１０３を含む。この貫通孔１０３は、コネクタ３を挿入するための孔である。そして、貫通孔１０３の周囲には、シール部材１０４が設けられている。
【０１６８】
したがって、コネクタ３を貫通孔１０３に挿入することによって、コネクタ３は、シール部材１０４によって周囲を囲まれ、固定される。このように、貫通孔１０３に挿入することによって固定される型のコネクタを「貫通型コネクタ」という。
【０１６９】
電気機器ユニット１０は、ケース１に代えて図２８に示すケース１００を備えていてもよく、ケース１００の底部１０１の一主面１０１Ａに上述したＤＣ／ＤＣコンバータ２，２Ａ，２Ｂ，２Ｃ，２Ｄ，２Ｅ，２Ｆ，２Ｇのいずれか、バスバー４，４Ａ，４Ｂ，４Ｃのいずれか、制御回路５，５Ａのいずれか、信号線６，６Ａ，６Ｂ，６Ｃのいずれか、およびバスバー７，７ＣＨＧのいずれかが配置され、コネクタ３，３Ａのいずれかが貫通孔１０３に挿入される。
【０１７０】
この場合、ＤＣ／ＤＣコンバータ２，２Ａ，２Ｂ，２Ｃ，２Ｄ，２Ｅ，２Ｆ，２Ｇ、コネクタ３，３Ａおよび制御回路５，５Ａと、バスバー４，４Ａ，４Ｂ，４Ｃ、信号線６，６Ａ，６Ｂ，６Ｃおよびバスバー７，７ＣＨＧとの接続は、上述したように、上下方向ＤＲ１からのボルトによる締結、または上下方向ＤＲ１からの溶接により行なわれるので、側壁１０２を有するケース１００を用いた場合にも、電気機器ユニット１０の構成部品の組付性を向上できる。
【０１７１】
なお、上記においては、各種のＤＣ／ＤＣコンバータ２，２Ａ，２Ｂ，２Ｃ，２Ｄ，２Ｅ，２Ｆ，２Ｇ、コネクタ３，３Ａ、バスバー４，４Ａ，４Ｂ，４Ｃ，７，７ＣＨＧ、制御回路５，５Ａおよび信号線６，６Ａ，６Ｂ，６Ｃについて説明したが、これらは、例示であって、これらに限定されない。この発明においては、ＤＣ／ＤＣコンバータ、コネクタ、バスバー、信号線および制御回路は、一定方向（たとえば、電気機器ユニット１０の上下方向ＤＲ１）から構成部品の組付けを行なうことができるような端子構造および固定部を有していればよい。
【０１７２】
この発明においては、コネクタ３，３Ａは、「端子部材」を構成する。
【０１７３】
また、バスバー４，４Ａ，４Ｂ，４Ｃは、「配線部材」を構成する。
【０１７４】
さらに、ＤＣ／ＤＣコンバータ２，２Ａ，２Ｂ，２Ｃ，２Ｄ，２Ｅ，２Ｆ，２Ｇは、「電気機器」を構成する。
【０１７５】
［実施の形態２］
図２９は、実施の形態２による電気機器ユニットの主要図を示す斜視図である。図２９を参照して、実施の形態２による電気機器ユニット１０Ａは、電気機器ユニット１０のＤＣ／ＤＣコンバータ２、制御回路５、信号線６およびバスバー７をコンデンサ４０、バスバー４４、インバータ５０、制御回路６０、信号線６６およびバスバー７７に代えたものであり、その他は、電気機器ユニット１０と同じである。
【０１７６】
コンデンサ４０、インバータ５０および制御回路６０は、ケース１の一主面１Ａに固定される。より具体的には、コンデンサ４０は、止め部材４５を有し、止め部材４５によって一主面１Ａに固定される。止め部材４５は、略階段形状の断面形状を有し、一方の水平部がコンデンサ４０の外周面４０Ａに接し、他方の水平部に穴４５Ａを有する。そして、電気機器ユニット１０Ａの上下方向ＤＲ１からボルトを穴４５Ａに挿入し、ケース１に設けられた穴にボルトをねじ込むことによって、止め部材４５は、コンデンサ４０を一主面１Ａに固定する。また、インバータ５０および制御回路６０は、それぞれ、実施の形態１におけるＤＣ／ＤＣコンバータ２および制御回路５と同じように一主面１Ａに固定される。
【０１７７】
図３０は、図２９に示すコンデンサ４０の斜視図である。図３０を参照して、コンデンサ４０は、略円筒形状からなり、長さ方向の一方の端面に２つの端子４６，４７を有する。端子４６，４７は、ケース１の一主面１Ａに略平行、すなわち、電気機器ユニット１０Ａの上下方向ＤＲ１に略垂直な平板形状からなり、長さ方向の一方の端面から同じ方向に延伸するように設けられる。
【０１７８】
図３１は、図２９に示すインバータ５０の斜視図である。図３１を参照して、インバータ５０は、ＤＣ／ＤＣコンバータ２の信号端子部２６を信号端子部５７に代え、電力端子部２７を電力端子部５８に代え、本体部２１を本体部５９に代えたものであり、その他は、ＤＣ／ＤＣコンバータ２と同じである。
【０１７９】
電力端子部２５，５８および信号端子部５７は、本体部５９の上面５９Ａに配設される。信号端子部５７は、電気機器ユニット１０Ａの上下方向ＤＲ１に略平行な板状形状を有する端子５７Ａ，５７Ｂ，５７Ｃ，５７Ｄ，５７Ｅ，５７Ｆからなる。また、電力端子部５８は、上下方向ＤＲ１に略平行な板状形状を有する端子５８Ａ，５８Ｂ，５８Ｃからなる。
【０１８０】
図３２は、図２９に示す制御回路６０の斜視図である。図３２を参照して、制御回路６０は、制御回路５の本体部５１を本体部６７に代え、信号端子部５５を信号端子部６８に代えたものであり、その他は、制御回路５と同じである。
【０１８１】
信号端子部６８は、本体部６７の上面６７Ａに配設される。信号端子部６８は、電気機器ユニット１０Ａの上下方向ＤＲ１に略平行な板状形状を有する端子６８Ａ，６８Ｂ，６８Ｃ，６８Ｄ，６８Ｅ，６８Ｆからなる。
【０１８２】
再び、図２９を参照して、バスバー４は、その一方端（水平部４１Ｄ，４２Ｄ）がコネクタ３の出力端子３３（３３Ａ，３３Ｂ）にボルト（図示せず）によって締結されており、他方端（水平部４１Ｅ，４２Ｅ）がコンデンサ４０の端子４６，４７にボルト（図示せず）によって締結されている。これによって、コンデンサ４０は、コネクタ３と電気的に接続される。
【０１８３】
バスバー４４は、バスバー４と同じ構造からなる。信号線６６は、信号線６のケーブル６１〜６４と同じ構造を有する６本のケーブルを、信号線６と同じように両端部を除いて樹脂によりモールドした構造からなる。バスバー７７は、バスバー７のケーブル７１，７２と同じ構造を有する３本のケーブルを、バスバー７と同じように端部を除いて樹脂によりモールドした構造からなる。
【０１８４】
バスバー４４は、一方端（水平部４１Ｄ，４２Ｄ）がコンデンサ４０の端子４６，４７にボルトによって締結され、他方端（水平部４１Ｅ，４２Ｅ）がインバータ５０の電力端子部２５にボルトによって締結される。また、信号線６６は、一方端（端部６１Ｃ，６２Ｃ，６３Ｃ，６４Ｃと同じ構造からなる）がインバータ５０の信号端子部５７に溶接によって接続され、他方端（端部６１Ｂ，６２Ｂ，６３Ｂ，６４Ｂと同じ構造からなる）が制御回路６０の信号端子部６８に溶接によって接続される。さらに、バスバー７７は、一方端（端部７１Ｂ，７２Ｂと同じ構造からなる）がインバータ５０の電力端子部５８に溶接によって接続される。
【０１８５】
図３３は、図２９に示す電気機器ユニット１０Ａの電気回路図である。図３３を参照して、バスバー４のケーブル４１は、コネクタ３の端子３３Ａをコンデンサ４０の端子４６に接続し、バスバー４のケーブル４２は、コネクタ３の端子３３Ｂをコンデンサ４０の端子４７に接続する。
【０１８６】
バスバー４４のケーブル４１は、コンデンサ４０の端子４６をインバータ５０の端子２５Ａに接続し、バスバー４４のケーブル４２は、コンデンサ４０の端子４７をインバータ５０の端子２５Ｂに接続する。
【０１８７】
インバータ５０は、モータジェネレータＭＧ（図示せず）を駆動する。そして、インバータ５０は、正母線ＬＮ１と、負母線ＬＮ２と、Ｕ相アーム５０Ｕと、Ｖ相アーム５０Ｖと、Ｗ相アーム５０Ｗとを含む。正母線ＬＮ１は、その一方端が端子２５Ａに接続され、負母線ＬＮ２は、その一方端が端子２５Ｂに接続される。
【０１８８】
Ｕ相アーム５０Ｕ、Ｖ相アーム５０Ｖ、およびＷ相アーム５０Ｗは、正母線ＬＮ１と負母線ＬＮ２との間に並列に接続される。Ｕ相アーム５０Ｕは、直列に接続されたＮＰＮトランジスタＱ１，Ｑ２からなり、Ｖ相アーム５０Ｖは、直列に接続されたＮＰＮトランジスタＱ３，Ｑ４からなり、Ｗ相アーム５０Ｗは、直列に接続されたＮＰＮトランジスタＱ５，Ｑ６からなる。また、各ＮＰＮトランジスタＱ１〜Ｑ６のコレクタ−エミッタ間には、エミッタ側からコレクタ側へ電流を流すダイオードＤ１〜Ｄ６がそれぞれ接続されている。さらに、ＮＰＮトランジスタＱ１〜Ｑ６のベースは、それぞれ、端子５７Ａ，５７Ｂ，５７Ｃ，５７Ｄ，５７Ｅ，５７Ｆに接続されている。
【０１８９】
各相アームの中間点は、モータジェネレータＭＧの各相コイルの各相端に接続されている。すなわち、モータジェネレータＭＧは、３相の永久磁石モータであり、Ｕ，Ｖ，Ｗ相の３つのコイルの一端が中点に共通接続されて構成され、Ｕ相コイルの他端がバスバー７７および端子５８Ａを介してＮＰＮトランジスタＱ１，Ｑ２の中間点に、Ｖ相コイルの他端がバスバー７７および端子５８Ｂを介してＮＰＮトランジスタＱ３，Ｑ４の中間点に、Ｗ相コイルの他端がバスバー７７および端子５８Ｃを介してＮＰＮトランジスタＱ５，Ｑ６の中間点にそれぞれ接続されている。
【０１９０】
信号線６６は、端子５７Ａ，５７Ｂ，５７Ｃ，５７Ｄ，５７Ｅ，５７Ｆをそれぞれ端子６８Ａ，６８Ｂ，６８Ｃ，６８Ｄ，６８Ｅ，６８Ｆに接続する。制御回路６０は、コンデンサ４０の両端の電圧Ｖｃを電圧センサー（図示せず）から受け、モータジェネレータＭＧのトルク指令値ＴＲを電気機器ユニット１０Ａの外部に設けられたＥＣＵ（Ｅｌｅｃｔｒｉｃａｌ  Ｃｏｎｔｒｏｌ  Ｕｎｉｔ）から受け、モータジェネレータＭＧの各相コイルに流れるモータ電流ＭＣＲＴを電流センサー（図示せず）から受ける。そして、制御回路６０は、これらの信号に基づいて、モータジェネレータＭＧの各相のコイルに印加する電圧を計算し、その計算した結果に基づいて、実際にインバータ５０の各ＮＰＮトランジスタＱ１〜Ｑ６をオン／オフする信号ＰＷＭを生成し、その生成した信号ＰＷＭを端子６８Ａ〜６８Ｆを介して出力する。そうすると、インバータ５０の各ＮＰＮトランジスタＱ１〜Ｑ６は、信号線６６および端子５７Ａ〜５７Ｆを介して信号ＰＷＭを受ける。
【０１９１】
電気機器ユニット１０Ａにおける全体動作について説明する。コネクタ３は、バッテリ（図示せず）から直流電圧を受け、その受けた直流電圧を端子３３Ａ，３３Ｂからバスバー４を介してコンデンサ４０へ供給する。コンデンサ４０は、コネクタ３からの直流電圧を平滑化し、その平滑化した直流電圧をバスバー４４を介してインバータ５０へ供給する。
【０１９２】
一方、制御回路６０は、電圧Ｖｃ、トルク指令値ＴＲおよびモータ電流ＭＣＲＴに基づいて、上述した方法によって信号ＰＷＭを生成し、その生成した信号ＰＷＭを端子６８Ａ〜６８Ｆを介して出力する。
【０１９３】
そうすると、インバータ５０は、コンデンサ４０からの直流電圧を端子２５Ａ，２５Ｂを介して受け、制御回路６０からの信号ＰＷＭを信号線６６および端子５７Ａ〜５７Ｆを介して受ける。そして、インバータ５０は、ＮＰＮトランジスタＱ１〜Ｑ６が信号ＰＷＭによってスイッチング制御されることによってコンデンサ４０からの直流電圧を交流電圧に変換し、その変換した交流電圧を端子５８Ａ〜５８Ｃおよびバスバー７７を介してモータジェネレータＭＧへ出力する。これによって、モータジェネレータＭＧは、トルク指令値ＴＲに応じたモータトルクを出力する。
【０１９４】
このように、電気機器ユニット１０Ａは、バッテリからの直流電圧を交流電圧に変換してモータジェネレータＭＧを駆動する。
【０１９５】
電気機器ユニット１０Ａにおいては、実施の形態１においてＤＣ／ＤＣコンバータ２をＤＣ／ＤＣコンバータ２Ａ〜２Ｇへ変更したのと同じようにインバータ５０を変更してもよく、実施の形態１において制御回路５を制御回路５Ａへ変更したのと同じように制御回路６０を変更してもよく、実施の形態１において信号線６を信号線６Ａ〜６Ｃへ変更したのと同じように信号線６６を変更してもよく、実施の形態１においてバスバー７をバスバー７ＣＨＧへ変更したのと同じようにバスバー７７を変更してもよく、実施の形態１においてバスバー４をバスバー４Ａ〜４Ｃへ変更したのと同じようにバスバー４４を変更してもよく、コンデンサ４０の端子４６，４７をコネクタ３Ａ（図２７参照）の端子３４Ａ，３４Ｂのように変更してもよい。また、電気機器ユニット１０Ａにおいては、バスバー４に代えてバスバー４Ａ〜４Ｃのいずれかを用いてもよい。さらに、電気機器ユニット１０Ａは、ケース１に代えてケース１００（図２８）を備えていてもよい。
【０１９６】
したがって、電気機器ユニット１０Ａにおいても、電気機器ユニット１０と同じように一定方向（上下方向ＤＲ１）からコネクタ３、バスバー４，４４，７７、コンデンサ４０、インバータ５０、制御回路６０および信号線６６をケース１，１００に組付けることができ、電気機器ユニット１０Ａの組付性を向上できる。
【０１９７】
図３４は、実施の形態２による他の電気機器ユニットの主要部を示す斜視図である。実施の形態２による電気機器ユニットは、図３４に示す電気機器ユニット１０Ｂであってもよい。図３４を参照して、電気機器ユニット１０Ｂは、電気機器ユニット１０のＤＣ／ＤＣコンバータ２、制御回路５、および信号線６をバスバー４４、リアクトル７０、端子台８０、チョッパ回路９０、制御回路１１０および信号線１２０に代えたものであり、その他は、電気機器ユニット１０と同じである。
【０１９８】
リアクトル７０は、本体部７４と、固定部７５，７６と、端子７７，７８とを含む。固定部７７は、本体部７４の一方の端面からケース１の一主面１Ａに沿って延伸するように配設され、固定部７８は、本体部７４の他方の端面からケース１の一主面１Ａに沿って延伸するように配設される。端子７７は、本体部７４の一方の端面からケース１の一主面１Ａに略平行に延伸するように配設され、端子７８は、本体部７４の他方の端面からケース１の一主面１Ａに略平行に延伸するように配設される。そして、端子７７，７８は、平板形状からなる。
【０１９９】
リアクトル７０、端子台８０、チョッパ回路９０および制御回路１１０は、ケース１の一主面１Ａに固定される。より具体的には、リアクトル７０は、固定部７７，７８に設けられた穴にボルトを電気機器ユニット１０Ｂの上下方向ＤＲ１から挿入し、ケース１に設けられた穴にボルトをねじ込むことによってケース１に固定される。また、端子部８０もリアクトル７０と同じようにケース１に固定される。さらに、チョッパ回路９０および制御回路１１０は、それぞれ、実施の形態１におけるＤＣ／ＤＣコンバータ２および制御回路５と同じように一主面１Ａに固定される。
【０２００】
図３５は、図３４に示すチョッパ回路９０の斜視図である。図３５を参照して、チョッパ回路９０は、ＤＣ／ＤＣコンバータ２の信号端子部２６を信号端子部９１に代え、本体部２１を本体部９２に代えたものであり、その他は、ＤＣ／ＤＣコンバータ２と同じである。
【０２０１】
電力端子部２５，２７および信号端子部９１は、本体部９２の上面９２Ａに配設される。信号端子部９１は、電気機器ユニット１０Ｂの上下方向ＤＲ１に略平行な板状形状を有する端子９１Ａ，９１Ｂからなる。
【０２０２】
図３６は、図３４に示す制御回路１１０の斜視図である。図３６を参照して、制御回路１１０は、制御回路５の信号端子部５５を信号端子部１１１に代え、本体部５１を本体部１１２に代えたものであり、その他は、制御回路５と同じである。
【０２０３】
信号端子部１１１は、本体部１１２の上面１１２Ａに配設される。信号端子部１１１は、電気機器ユニット１０Ｂの上下方向ＤＲ１に略平行な板状形状を有する端子１１１Ａ，１１１Ｂからなる。
【０２０４】
再び、図３４を参照して、バスバー４のケーブル４１は、その一方端（水平部４１Ｄ）がコネクタ３の出力端子３３（３３Ａ）にボルト（図示せず）によって締結されており、他方端（水平部４１Ｅ）がリアクトル７０の端子７８にボルト（図示せず）によって締結されている。また、バスバー４のケーブル４２は、その一方端（水平部４２Ｄ）がコネクタ３の出力端子３３（３３Ｂ）にボルト（図示せず）によって締結されており、他方端（水平部４２Ｅ）が端子台８０にボルト（図示せず）によって締結されている。
【０２０５】
バスバー４４は、上述したようにバスバー４と同じ構造からなる。そして、バスバー４４のケーブル４１は、その一方端（水平部４１Ｄ）がリアクトル７０の端子７７にボルト（図示せず）によって締結されており、他方端（水平部４１Ｅ）がチョッパ回路９０の端子２５Ａにボルト（図示せず）によって締結されている。また、バスバー４４のケーブル４２は、その一方端（水平部４２Ｄ）が端子台８０にボルト（図示せず）によって締結されており、他方端（水平部４２Ｅ）がチョッパ回路９０の端子２５Ｂにボルト（図示せず）によって締結されている。
【０２０６】
信号線１２０は、信号線６のケーブル６１〜６４と同じ構造を有する２本のケーブルを、信号線６と同じように両端部を除いて樹脂によりモールドした構造からなる。そして、信号線１２０は、一方端（端部６１Ｃ，６２Ｃ，６３Ｃ，６４Ｃと同じ構造からなる）がチョッパ回路９０の信号端子部９１に溶接によって接続され、他方端（端部６１Ｂ，６２Ｂ，６３Ｂ，６４Ｂと同じ構造からなる）が制御回路１１０の信号端子部１１１に溶接によって接続される。
【０２０７】
図３７は、図３４に示す電気機器ユニット１０Ｂの電気回路図である。なお、以下の説明においては、電気機器ユニット１０Ｂからの出力電圧は、モータジェネレータＭＧを駆動するインバータに供給されるものとして説明する。
【０２０８】
図３７を参照して、バスバー４のケーブル４１は、コネクタ３の端子３３Ａをリアクトル７０の端子７８に接続し、バスバー４のケーブル４２は、コネクタ３の端子３３Ｂを端子台８０に接続する。
【０２０９】
バスバー４４のケーブル４１は、リアクトル７０の端子７７をチョッパ回路９０の端子２５Ａに接続し、バスバー４４のケーブル４２は、端子台８０をチョッパ回路９０の端子２５Ｂに接続する。
【０２１０】
チョッパ回路９０は、正母線ＬＮ３と、負母線ＬＮ４と、配線ＬＮ５と、ＮＰＮトランジスタＱ７，Ｑ８と、ダイオードＤ７，Ｄ８とを含む。正母線ＬＮ３は、その一方端がＮＰＮトランジスタＱ７のコレクタに接続され、他方端が端子２７Ａに接続される。また、負母線ＬＮ２は、その一方端が端子２５Ｂに接続され、他方端が端子２７Ｂに接続される。
【０２１１】
ＮＰＮトランジスタＱ７およびＱ８は、正母線ＬＮ３と負母線ＬＮ４との間に直列に接続される。そして、ＮＰＮトランジスタＱ７のコレクタは正母線ＬＮ３に接続され、ＮＰＮトランジスタＱ８のエミッタは負母線ＬＮ４に接続される。また、各ＮＰＮトランジスタＱ７，Ｑ８のコレクタ−エミッタ間には、エミッタ側からコレクタ側へ電流を流すダイオードＤ７，Ｄ８がそれぞれ接続されている。さらに、ＮＰＮトランジスタＱ７，Ｑ８のベースは、それぞれ、端子９１Ａ，９１Ｂに接続される。配線ＬＮ５は、一方端が端子２５Ａに接続され、他方端がＮＰＮトランジスタＱ７とＮＰＮトランジスタＱ８との接続点に接続される。
【０２１２】
信号線１２０は、端子９１Ａ，９１Ｂをそれぞれ端子１１１Ａ，１１１Ｂに接続する。制御回路１１０は、バッテリの出力電圧であるバッテリ電圧Ｖｂ、チョッパ回路９０の出力電圧である電圧Ｖｍ、モータジェネレータＭＧのモータ回転数ＭＲＮおよびモータジェネレータＭＧのトルク指令値ＴＲを受ける。そして、制御回路１１０は、トルク指令値ＴＲおよびモータ回転数ＭＲＮに基づいて電圧Ｖｍの最適値（目標値）を演算し、バッテリ電圧Ｖｂに基づいて、電圧Ｖｍを目標値に設定するためのデューティー比を演算する。そして、制御回路１１０は、演算したデューティー比に基づいてチョッパ回路９０のＮＰＮトランジスタＱ７，Ｑ８をオン／オフするための信号ＰＷＵを生成し、その生成した信号ＰＷＵを端子１１１Ａ，１１１Ｂから出力する。そうすると、ＮＰＮトランジスタＱ７，Ｑ８は、信号線１２０および端子９１Ａ，９１Ｂを介して信号ＰＷＵを受ける。
【０２１３】
電気機器ユニット１０Ｂにおける全体動作について説明する。コネクタ３は、バッテリ（図示せず）から直流電圧を受け、その受けた直流電圧を端子３３Ａからバスバー４のケーブル４１を介してリアクトル７０へ供給する。
【０２１４】
一方、制御回路１１０は、バッテリ電圧Ｖｂ、電圧Ｖｍ、トルク指令値ＴＲおよびモータ回転数ＭＲＮに基づいて、上述した方法によって信号ＰＷＵを生成し、その生成した信号ＰＷＵを端子１１１Ａ，１１１Ｂを介して出力する。
【０２１５】
そうすると、チョッパ回路９０は、制御回路１１０からの信号ＰＷＵを信号線１２０および端子９１Ａ，９１Ｂを介して受け、その受けた信号ＰＷＵによってＮＰＮトランジスタＱ７，Ｑ８がスイッチング制御され、コネクタ３から供給された直流電圧を目標電圧に昇圧して端子２７Ａ，２７Ｂから出力する。
【０２１６】
このように、電気機器ユニット１０Ｂは、バッテリからの直流電圧を目標電圧に変換するコンバータである。
【０２１７】
電気機器ユニット１０Ｂにおいては、実施の形態１においてＤＣ／ＤＣコンバータ２をＤＣ／ＤＣコンバータ２Ａ〜２Ｇへ変更したのと同じようにチョッパ回路９０を変更してもよく、実施の形態１において制御回路５を制御回路５Ａへ変更したのと同じように制御回路１１０を変更してもよく、実施の形態１において信号線６を信号線６Ａ〜６Ｃへ変更したのと同じように信号線１２０を変更してもよく、リアクトル７０の端子７７，７８をコネクタ３Ａ（図２７参照）の端子３４Ａ，３４Ｂのように変更してもよい。また、電気機器ユニット１０Ｂにおいては、バスバー４に代えてバスバー４Ａ〜４Ｃのいずれかを用いてもよく、バスバー７に代えてバスバー７ＣＨＧを用いてもよい。さらに、電気機器ユニット１０Ｂは、ケース１に代えてケース１００（図２８）を備えていてもよい。
【０２１８】
したがって、電気機器ユニット１０Ｂにおいても、電気機器ユニット１０と同じように一定方向（上下方向ＤＲ１）からコネクタ３、バスバー４，７，４４、リアクトル７０、チョッパ回路９０、制御回路１１０および信号線１２０をケース１，１００に組付けることができ、電気機器ユニット１０Ｂの組付性を向上できる。
【０２１９】
なお、コンデンサ４０は、「第１の電気機器」を構成し、インバータ５０は、「第２の電気機器」を構成する。
【０２２０】
また、リアクトル７０は、「第１の電気機器」を構成し、チョッパ回路９０は、「第２の電気機器」を構成する。
【０２２１】
その他は、実施の形態１と同じである。
【０２２２】
実施の形態１，２において説明した電気機器ユニット１０，１０Ａ，１０Ｂは、電気自動車またはハイブリッド自動車に搭載される。この場合、電気機器ユニット１０，１０Ａ，１０Ｂは、小さいスペースを利用して配置されるが、電気機器ユニット１０，１０Ａ，１０Ｂを構成する構成部品は、上述したように一定方向から組み付けられるので、電気機器ユニット１０，１０Ａ，１０Ｂは、小さいスペースを利用して配置するのに適している。
【０２２３】
また、上記において説明したＤＣ／ＤＣコンバータ、インバータ、コネクタ、バスバー、制御回路および信号線の各端子または端部の構造は、例示であって、この発明においては、上述した構造に限られず、一定方向から組付け可能な構造であればどのような構造であってもよい。
【０２２４】
さらに、電気機器ユニットを構成する構成部品も、上述したものに限らず、それ以外の構成部品であってもよい。
【０２２５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２２６】
この発明は、構成部品の組付性を向上可能な電気機器ユニットに適用される。
【図面の簡単な説明】
【０２２７】
【図１】この発明の実施の形態１による電気機器ユニットの断面図である。
【図２】図１に示すＡ方向から見た電気機器ユニットの側面図である。
【図３】図１に示す電気機器ユニットの主要部の斜視図である。
【図４】図３に示すコネクタの拡大図である。
【図５】図３に示すＤＣ／ＤＣコンバータの拡大図である。
【図６】図３に示す制御回路の拡大図である。
【図７】図３に示すバスバーの拡大図である。
【図８】図３に示すもう１つのバスバーの拡大図である。
【図９】図３に示す信号線の拡大図である。
【図１０】図３に示す信号端子部の上下方向から見た平面図である。
【図１１】図３に示す信号端子部の上下方向から見た平面図である。
【図１２】図３に示す電気機器ユニットの電気回路図である。
【図１３】図３に示すバスバーの他の斜視図である。
【図１４】図３に示すバスバーのさらに他の斜視図である。
【図１５】図３に示すバスバーのさらに他の斜視図である。
【図１６】図３に示す信号線の他の斜視図である。
【図１７】図３に示す信号線のさらに他の斜視図である。
【図１８】図３に示す信号線のさらに他の斜視図である。
【図１９】図３に示すＤＣ／ＤＣコンバータの他の斜視図である。
【図２０】図３に示すＤＣ／ＤＣコンバータのさらに他の斜視図である。
【図２１】図３に示すＤＣ／ＤＣコンバータのさらに他の斜視図である。
【図２２】図３に示すＤＣ／ＤＣコンバータのさらに他の斜視図である。
【図２３】図３に示すＤＣ／ＤＣコンバータのさらに他の斜視図である。
【図２４】図３に示すＤＣ／ＤＣコンバータのさらに他の斜視図である。
【図２５】図３に示すＤＣ／ＤＣコンバータのさらに他の斜視図である。
【図２６】図３に示す制御回路の他の斜視図である。
【図２７】図３に示すコネクタの他の斜視図である。
【図２８】実施の形態１におけるケースの他の断面図である。
【図２９】実施の形態２による電気機器ユニットの主要図を示す斜視図である。
【図３０】図２９に示すコンデンサの斜視図である。
【図３１】図２９に示すインバータの斜視図である。
【図３２】図２９に示す制御回路の斜視図である。
【図３３】図２９に示す電気機器ユニットの電気回路図である。
【図３４】実施の形態２による他の電気機器ユニットの主要部を示す斜視図である。
【図３５】図３４に示すチョッパ回路の斜視図である。
【図３６】図３４に示す制御回路の斜視図である。
【図３７】図３４に示す電気機器ユニットの電気回路図である。
【符号の説明】
【０２２８】
１，１００  ケース、１Ａ，１Ｂ，２１Ａ，５１Ａ，１０１Ａ  一主面、２，２Ａ，２Ｂ，２Ｃ，２Ｄ，２Ｅ，２Ｆ，２Ｇ  ＤＣ／ＤＣコンバータ、３，３Ａ  コネクタ、４，４Ａ，４Ｂ，４Ｃ，７，４４，７７  バスバー、５，５Ａ，６０，１１０  制御回路、６，６Ａ〜６Ｃ，６６，１２０  信号線、８  ふた、９，１０４  シール部材、１０，１０Ａ，１０Ｂ  電気機器ユニット、１１〜１３  ブラケット、１４，１５，２２Ａ，２３Ａ，２４Ａ，４５Ａ，５２Ａ，５３Ａ，５４Ａ，２５１，２５２，３０１，３０２，４１１，４１２，４２１，４２２，６１１，６１２，６２１，６２２，６３１，６３２，６４１，６４２  穴、１６〜１９，８６，８７  ボルト、２１，３１，４１Ａ，４２Ａ，５１，５９，６１Ａ，６２Ａ，６３Ａ，６４Ａ，６７，７１Ａ，７２Ａ，７４，９２，１１２  本体部、２１Ｂ，２１Ｃ，５１Ｂ，５１Ｃ  端面、２１Ｄ，３１Ａ，４３Ａ，５１Ｄ，５９Ａ，６５Ａ，６７Ａ，７３Ａ，９２Ａ，１１２Ａ  上面、２２〜２４，５２〜５４，７５，７６  固定部、２５，２７，２８，３０，５８  電力端子部、２６，２９，５５，５６，５７，６８，９１，１１１  信号端子部、２５Ａ，２５Ｂ，２６Ａ〜２６Ｄ，２７Ａ，２７Ｂ，２８Ａ，２８Ｂ，２９Ａ，２９Ｂ，２９Ｃ，２９Ｄ，３０Ａ，３０Ｂ，３３Ａ，３３Ｂ，３４Ａ，３４Ｂ，４６，４７，５５Ａ〜５５Ｄ，５６Ａ，５６Ｂ，５６Ｃ，５６Ｄ，５７Ａ，５７Ｂ，５７Ｃ，５７Ｄ，５７Ｅ，５７Ｆ，５８Ａ，５８Ｂ，５８Ｃ，６８Ａ，６８Ｂ，６８Ｃ，６８Ｄ，６８Ｅ，６８Ｆ，７７，７８，９１Ａ，９１Ｂ，１１１Ａ，１１１Ｂ  端子、３２  入力端子、３２Ａ  空洞部、３３，３４  出力端子、３４  シーラ、４０  コンデンサ、４０Ａ  外周面、４１，４２，６１〜６４，７１，７２  ケーブル、４１Ｂ，４１Ｃ，４２Ｂ，４２Ｃ，６１Ｄ，６２Ｄ，６３Ｄ，６４Ｄ，６１Ｆ，６２Ｆ，６３Ｆ，６４Ｆ，３４２，３４４  垂直部、４１Ｄ，４１Ｅ，４２Ｄ，４２Ｅ，６１Ｅ，６２Ｅ，６３Ｅ，６４Ｅ，６１Ｇ，６２Ｇ，６３Ｇ，６４Ｇ，３４１，３４３  水平部、４３，６５，７３  モールド部、４１Ｆ，４２Ｆ，４１Ｇ，４２Ｇ，６１Ｂ，６２Ｂ，６３Ｂ，６４Ｂ，６１Ｃ，６２Ｃ，６３Ｃ，６４Ｃ，７１Ｂ，７２Ｂ  端部、４５  止め部材、５０  インバータ、７０  リアクトル、８０  端子台、９０  チョッパ回路、１０１  底部、１０２  側壁、１０３，３３１，３３２  貫通孔、２１０，ＬＮ１，ＬＮ３  正母線、２２０，ＬＮ２，ＬＮ４  負母線、２１１〜２１４  ＭＯＳトランジスタ、２１５，２１６  トランス、２１７，２１８，Ｄ１〜Ｄ８  ダイオード、２１９  コイル、２２１  コンデンサ、２４０  負荷、Ｑ１〜Ｑ８  ＮＰＮトランジスタ、５０Ｕ  Ｕ相アーム、５０Ｖ  Ｖ相アーム、５０Ｗ  Ｗ相アーム、ＬＮ５  配線。
【図１】
2005287236.tif 000003
【図２】
2005287236.tif 000004
【図３】
2005287236.tif 000005
【図４】
2005287236.tif 000006
【図５】
2005287236.tif 000007
【図６】
2005287236.tif 000008
【図７】
2005287236.tif 000009
【図８】
2005287236.tif 000010
【図９】
2005287236.tif 000011
【図１０】
2005287236.tif 000012
【図１１】
2005287236.tif 000013
【図１２】
2005287236.tif 000014
【図１３】
2005287236.tif 000015
【図１４】
2005287236.tif 000016
【図１５】
2005287236.tif 000017
【図１６】
2005287236.tif 000018
【図１７】
2005287236.tif 000019
【図１８】
2005287236.tif 000020
【図１９】
2005287236.tif 000021
【図２０】
2005287236.tif 000022
【図２１】
2005287236.tif 000023
【図２２】
2005287236.tif 000024
【図２３】
2005287236.tif 000025
【図２４】
2005287236.tif 000026
【図２５】
2005287236.tif 000027
【図２６】
2005287236.tif 000028
【図２７】
2005287236.tif 000029
【図２８】
2005287236.tif 000030
【図２９】
2005287236.tif 000031
【図３０】
2005287236.tif 000032
【図３１】
2005287236.tif 000033
【図３２】
2005287236.tif 000034
【図３３】
2005287236.tif 000035
【図３４】
2005287236.tif 000036
【図３５】
2005287236.tif 000037
【図３６】
2005287236.tif 000038
【図３７】
2005287236.tif 000039